(57)【特許請求の範囲】
【請求項１】
デバイスとモバイル端末との間に接続を確立する段階と、
ロック状態またはロック解除状態のうちの１つを含む、前記モバイル端末の現在状態を判定する段階と、
ユーザ許可行為を前記デバイスから検出する段階と、
前記ユーザ許可行為に基づいて、ロック識別子またはロック解除識別子のうちの１つを含む、処理識別子を設定する段階と、
前記処理識別子がロック解除識別子であり、かつ、前記現在状態がロック状態である場合、ロック解除メッセージを前記モバイル端末へ伝送する段階であって、前記ロック解除メッセージは前記モバイル端末にロック解除操作を実行させる、段階とを備える、
方法。
【請求項２】
ユーザ許可行為を検出する段階は、
計測値をモーションセンサから受信および処理する段階と、
前記計測値がプリセット閾値を超える場合、前記処理識別子をロック解除識別子として設定する段階と
を有する、請求項１に記載の方法。
【請求項３】
前記処理識別子をロック解除識別子として設定した後でエージングタイマを始動する段階と、
前記エージングタイマが満了したとき、前記処理識別子をロック識別子として設定する段階と
をさらに備える、請求項２に記載の方法。
【請求項４】
前記モーションセンサは三軸の加速度センサを備え、
計測値を前記モーションセンサから受信して処理する段階は、
前記加速度センサによって記録される、各軸について記録される加速度値の二乗を算出する段階と、
前記加速度値の二乗の和を算出する段階と
を有する、請求項２または３に記載の方法。
【請求項５】
ロック解除メッセージを前記モバイル端末へ伝送する段階は、
モーションセンサの計測値に対応する第１タイミング情報および第１開始タイムスタンプ情報を記録する段階と、
前記ロック解除メッセージを前記モバイル端末へ送信する段階と、
前記モバイル端末に、前記第１タイミング情報および前記第１開始タイムスタンプ情報に基づいて前記ロック解除操作を実行すべきかどうか判定させ、前記判定の結果が、実行すべきである場合、前記ロック解除操作を実行させるべく、前記第１タイミング情報および前記第１開始タイムスタンプ情報を含む変更確認要求メッセージを前記モバイル端末へ送信する段階と
を有する、請求項１または２に記載の方法。
【請求項６】
前記モバイル端末へ変更確認要求メッセージを送信する段階は、
前記モーションセンサの前記計測値に対応する第２タイミング情報および第２開始タイムスタンプ情報を前記モバイル端末に記録する段階と、
前記第１開始タイムスタンプ情報および前記第２開始タイムスタンプ情報を使用して、前記第１タイミング情報を前記第２タイミング情報に揃える段階と、
前記第１タイミング情報と前記第２タイミング情報との間の相関係数を算出する段階と、
前記相関係数がプリセット方針を満たすとき、前記ロック解除操作を実行する段階と
をさらに有する、請求項５に記載の方法。
【請求項７】
ユーザの自発的な状態変更行為を検出する段階と、
前記処理識別子がロック識別子であり、かつ、前記現在状態がロック状態である場合、ロック解除メッセージを前記モバイル端末へ送信する段階と、
前記処理識別子がロック解除識別子であり、かつ、前記現在状態がロック解除状態である場合、ロックメッセージを前記モバイル端末へ送信する段階と
をさらに備える、請求項１、２、５のいずれか一項に記載の方法。
【請求項８】
ユーザの自発的な状態変更行為を検出する段階は、モーションセンサの計測値がプリセット閾値より大きいとき、ユーザの自発的な状態変更行為が現在時間に検出されたと判定する段階を含む、請求項７に記載の方法。
【請求項９】
前記処理識別子が前記ロック識別子であり、かつ、前記現在状態が前記ロック状態である場合、前記モバイル端末に前記ロック状態を維持させるべく、現在状態維持メッセージを前記モバイル端末へ送信する段階をさらに備える、請求項１、２、５、７のいずれか一項に記載の方法。
【請求項１０】
デバイスであって、
プロセッサと、
コンピュータ実行可能の命令を自身に記憶する非一時的メモリと
を備え、
前記命令は、前記プロセッサによって実行されるとき、前記デバイスに、
前記デバイスとモバイル端末との間に接続を確立する操作と、
ロック状態またはロック解除状態のうちの１つを含む、前記モバイル端末の現在状態を判定する操作と、
ユーザ許可行為を前記デバイスから検出する操作と、
前記ユーザ許可行為に基づいて、ロック識別子またはロック解除識別子のうちの１つを含む処理識別子を設定する操作と、
前記処理識別子がロック解除識別子であり、かつ、前記現在状態がロック状態である場合、ロック解除メッセージを前記モバイル端末へ伝送し、前記ロック解除メッセージによって、前記モバイル端末にロック解除操作を実行させる操作と
を実行させる、デバイス。
【請求項１１】
ユーザ許可行為を検出する操作は、
モーションセンサから計測値を受信して処理する操作と、
前記計測値がプリセット閾値を超える場合、前記処理識別子をロック解除識別子として設定する操作と
を有する、請求項１０に記載のデバイス。
【請求項１２】
前記命令は、
前記処理識別子をロック解除識別子として設定した後でエージングタイマを始動する操作と、
前記エージングタイマが満了したとき、前記処理識別子をロック識別子として設定する操作と
を前記デバイスにさらに実行させる、請求項１１に記載のデバイス。
【請求項１３】
前記モーションセンサは、三軸の加速度センサを有し、計測値を前記モーションセンサから受信して処理する操作は、
前記加速度センサによって記録される、各軸について記録される加速度値の二乗を算出する操作と、
前記加速度値の二乗の和を算出する操作
を含む、請求項１１または１２に記載のデバイス。
【請求項１４】
ロック解除メッセージを前記モバイル端末へ伝送する操作は、
モーションセンサの計測値に対応する第１タイミング情報および第１開始タイムスタンプ情報を記録する操作と、
前記ロック解除メッセージを前記モバイル端末へ送信する操作と、
前記第１タイミング情報および第１開始タイムスタンプ情報を含む変更確認要求メッセージを前記モバイル端末へ送信し、前記モバイル端末に、前記第１タイミング情報および前記第１開始タイムスタンプ情報に基づいて前記ロック解除操作を実行すべきかどうか判定させ、前記判定の結果が、実行すべきである場合、前記ロック解除操作を実行させる操作と
を含む、請求項１０または１１に記載のデバイス。
【請求項１５】
変更確認要求メッセージを前記モバイル端末へ送信する操作は、前記変更確認要求メッセージに応答して、
前記モバイル端末に、前記モーションセンサの前記計測値に対応する第２タイミング情報および第２開始タイムスタンプ情報を記録させる操作と、
前記モバイル端末に、前記第１開始タイムスタンプ情報および第２開始タイムスタンプ情報を使用して、前記第１タイミング情報を前記第２タイミング情報と揃えさせる操作と、
前記モバイル端末に、前記第１タイミング情報と前記第２タイミング情報との間の相関係数を算出させる操作と、
前記モバイル端末に、前記相関係数がプリセット方針を満たすとき、前記ロック解除操作を実行させる操作と
をさらに含む、請求項１４に記載のデバイス。
【請求項１６】
前記命令は、
ユーザの自発的な状態変更行為を検出する操作と、
前記処理識別子がロック識別子であり、かつ、前記現在状態がロック状態である場合、ロック解除メッセージを前記モバイル端末へ送信する操作と、
前記処理識別子がロック解除識別子であり、かつ、前記現在状態がロック解除状態である場合、ロックメッセージを前記モバイル端末へ送信する操作と
を前記デバイスにさらに実行させる、請求項１０、１１、１４のいずれか一項に記載のデバイス。
【請求項１７】
ユーザの自発的な状態変更行為を検出する操作は、モーションセンサの計測値がプリセット閾値より大きいとき、ユーザの自発的な状態変更行為が現在時間に検出されたと判定する操作を含む、請求項１６に記載のデバイス。
【請求項１８】
前記命令は、前記処理識別子が前記ロック識別子であり、かつ、前記現在状態が前記ロック状態である場合、前記ロック状態を前記モバイル端末に維持させるべく、現在状態維持メッセージを前記モバイル端末へ送信する操作を前記デバイスにさらに実行させる、請求項１０、１１、１４、１６のいずれか一項に記載のデバイス。
【請求項１９】
モバイル端末と、
ワイヤレスデバイスと
を備えるシステムであって、
前記ワイヤレスデバイスは、
前記ワイヤレスデバイスと前記モバイル端末との間に接続を確立し、
ロック状態またはロック解除状態のうちの１つを含む、前記モバイル端末の現在状態を判定し、
ユーザ許可行為を前記ワイヤレスデバイスから検出し、
前記ユーザ許可行為に基づいて、ロック識別子またはロック解除識別子のうちの１つを含む処理識別子を設定し、
前記処理識別子がロック解除識別子であり、かつ、前記現在状態がロック状態である場合、ロック解除メッセージを前記モバイル端末へ伝送し、前記ロック解除メッセージによって、前記モバイル端末にロック解除操作を実行させる、
システム。
【請求項２０】
ユーザ許可行為を検出することは、
計測値をモーションセンサから受信して処理すること、および、
前記計測値がプリセット閾値を超える場合、前記処理識別子をロック解除識別子として設定すること
を含む、請求項１９に記載のシステム。
【発明の詳細な説明】
【技術分野】
【０００１】
［関連出願の相互参照］
本出願は、２０１５年４月２０日に出願された、「モバイル端末ロック解除方法及びデバイス」と題される、中国特許出願第２０１５１０１８８７５７．２号、および、２０１６年４月１２日に出願された、「モバイル端末ロック解除方法及びデバイス」と題される、ＰＣＴ出願第ＰＣＴ／ＣＮ２０１６／０７９０２７号への優先権を主張するものであり、各々の開示は、本明細書によって、その全体が参照により組み込まれる。
【０００２】
本開示は、通信技術の分野に関連し、特に、モバイル端末をロック解除するための方法、デバイス、およびシステムに関連する。
【背景技術】
【０００３】
モバイル端末の普及により、例えば、医療従事者は、モバイル端末を使用して患者の医療および健康データにアクセスでき、患者も自身のデータにアクセスできる。モバイル端末上の個人情報を保護するには、ユーザは、モバイル端末を使用していないとき、（例えば、ロック操作を介して）モバイル端末のロックを実行する必要がある。次に、ユーザがモバイル端末を再び使用するとき、モバイル端末のユーザは、（例えば、ロック解除操作を実行することによって）端末をロック解除する必要があるであろう。ロック操作およびロック解除操作がパスワードまたはジェスチャーを用いて実行されているとき、操作はユーザにとって比較的単調なものである。
【０００４】
ウェアラブルＢｌｕｅｔｏｏｔｈ（登録商標）デバイス（例えば、競技用ブレスレット）の普及が進んだことにより、現在のシステムにおいて利用されているウェアラブルＢｌｕｅｔｏｏｔｈ（登録商標）デバイスは、ブロードキャストチャネルのブロードキャストメッセージを使用することによって、（多くの場合、一意である）ユーザ識別子を伝送でき、それにより、ロック操作およびロック解除操作を実行するようにモバイル端末を制御する。モバイル端末とウェアラブルＢｌｕｅｔｏｏｔｈ（登録商標）デバイスとの間に無線接続が確立されるとき、ウェアラブルＢｌｕｅｔｏｏｔｈ（登録商標）デバイスは、ブロードキャストチャネル上のブロードキャストメッセージを用いて、ユーザ識別子（媒体アクセス制御（ＭＡＣ）アドレスなど）を伝送する。次に、モバイル端末は、ブロードキャストチャネル上のブロードキャストメッセージをモニタリングすることによって、ブロードキャストメッセージ内に含まれる、ウェアラブルＢｌｕｅｔｏｏｔｈ（登録商標）デバイスのユーザ識別子を記録する。最後に、Ｂｌｕｅｔｏｏｔｈ（登録商標）接続がモバイル端末とウェアラブルＢｌｕｅｔｏｏｔｈ（登録商標）デバイスとの間に確立される。
【０００５】
ウェアラブルＢｌｕｅｔｏｏｔｈ（登録商標）デバイスおよびモバイル端末が、プリセット距離（例えば、１０メートル）より遠く離れているとき、ウェアラブルＢｌｕｅｔｏｏｔｈ（登録商標）デバイスとモバイル端末との間のＢｌｕｅｔｏｏｔｈ（登録商標）接続が遮断されることがあり得る。この瞬間、モバイル端末はロックされる。さらに、ウェアラブルＢｌｕｅｔｏｏｔｈ（登録商標）デバイスは、ウェアラブルＢｌｕｅｔｏｏｔｈ（登録商標）デバイスのユーザ識別子をブロードキャストチャネル上で定期的にブロードキャストし得て、モバイル端末は、ウェアラブルＢｌｕｅｔｏｏｔｈ（登録商標）デバイスのユーザ識別子をブロードキャストチャネル上で定期的にモニタリングし得る。ウェアラブルＢｌｕｅｔｏｏｔｈ（登録商標）デバイスとモバイル端末との間の距離が一定距離（例えば、１０メートル未満）に再び到達すると、モバイル端末は、ウェアラブルＢｌｕｅｔｏｏｔｈ（登録商標）デバイスのユーザ識別子をブロードキャストチャネルでモニタリングし得る。モニタリングされたユーザ識別子が、モバイル端末自体に記憶されたユーザ識別子と一致する場合、Ｂｌｕｅｔｏｏｔｈ（登録商標）接続がモバイル端末とウェアラブルＢｌｕｅｔｏｏｔｈ（登録商標）デバイスとの間に再び確立され、その２つはデータ通信を実行できるようになる。この瞬間、モバイル端末はロック解除される。
【０００６】
上述の方式において、モバイル端末上のロック解除操作およびロック操作は、ウェアラブルＢｌｕｅｔｏｏｔｈ（登録商標）デバイスとモバイル端末との間のＢｌｕｅｔｏｏｔｈ（登録商標）接続の確立および遮断のみに従って実行されるが、それはユーザの意図と一致しないことがあり得る。 
【０００７】
例えば、モバイル端末の所有者がウェアラブルＢｌｕｅｔｏｏｔｈ（登録商標）デバイスを着用しているとき、および、モバイル端末がウェアラブルＢｌｕｅｔｏｏｔｈ（登録商標）デバイスのＢｌｕｅｔｏｏｔｈ（登録商標）信号の受信可能範囲内にあるとき、ロック解除操作がモバイル端末上で実行され得る。この瞬間、モバイル端末の所有者が端末のロック解除を意図していない場合（例えば、ユーザが端末の近くにいるが、現在は端末を使用していない、または使用する意図が無い場合）でも、別の人間も、モバイル端末上に記憶された医療および健康データを見るためにログインできる。したがって、モバイル端末がウェアラブルＢｌｕｅｔｏｏｔｈ（登録商標）デバイスのＢｌｕｅｔｏｏｔｈ（登録商標）信号の受信可能範囲内にあるとき、モバイル端末上で実行されるロック解除操作は、ユーザの真の意図ではない。
【発明の概要】
【０００８】
開示される実施形態は、ユーザの真の意図に基づいて、モバイル端末上でロック解除操作およびロック操作を実行するために、モバイル端末ロック解除方法及びデバイスを提供する。したがって、開示される実施形態によって、ユーザエクスペリエンスが改善し、本明細書に開示されるようなロック操作およびロック解除操作の安全性が向上する。
【０００９】
開示される実施形態は、ウェアラブルＢｌｕｅｔｏｏｔｈ（登録商標）デバイスによってモバイル端末との接続が確立された後で、ウェアラブルＢｌｕｅｔｏｏｔｈ（登録商標）デバイスが、ロック状態またはロック解除状態のうちの１つである、モバイル端末に対応する現在状態を判定する段階と、ウェアラブルＢｌｕｅｔｏｏｔｈ（登録商標）デバイスが、ユーザの許可行為を検出し、ユーザの許可行為を使用することによって、ロック識別子またはロック解除識別子のうちの１つである、モバイル端末に対応する処理識別子を設定する段階と、処理識別子がロック解除識別子であり、かつ、現在状態がロック状態である場合、ウェアラブルＢｌｕｅｔｏｏｔｈ（登録商標）デバイスが、モバイル端末にロック解除操作を実行させるべく、ロック解除メッセージをモバイル端末へ送信する段階とを備えるモバイル端末ロック解除方法を提供する。
【００１０】
一実施形態において、ウェアラブルＢｌｕｅｔｏｏｔｈ（登録商標）デバイスが、ユーザの許可行為を検出し、ユーザの許可行為を使用して、モバイル端末に対応する処理識別子を設定する段階は、ウェアラブルＢｌｕｅｔｏｏｔｈ（登録商標）デバイスの加速度センサの計測値がプリセット第１閾値より大きいことをウェアラブルＢｌｕｅｔｏｏｔｈ（登録商標）デバイスが検出した場合、ユーザの許可行為を許可済みロック解除行為として判定し、モバイル端末に対応する処理識別子をロック解除識別子に設定する段階、または、ウェアラブルＢｌｕｅｔｏｏｔｈ（登録商標）デバイスの角速度センサの計測値がプリセット第２閾値より大きいことをウェアラブルＢｌｕｅｔｏｏｔｈ（登録商標）デバイスが検出した場合、ユーザの許可行為を許可済みロック解除行為として判定し、モバイル端末に対応する処理識別子をロック解除識別子に設定する段階を有する。
【００１１】
一実施形態において、方法は、ウェアラブルＢｌｕｅｔｏｏｔｈ（登録商標）デバイスが、モバイル端末に対応する処理識別子をロック解除識別子に設定した後で、ウェアラブルＢｌｕｅｔｏｏｔｈ（登録商標）デバイスが、モバイル端末についてのエージングタイマを始動する段階と、エージングタイマが満了した後で、ウェアラブルＢｌｕｅｔｏｏｔｈ（登録商標）デバイスが、モバイル端末に対応する処理識別子をロック識別子に設定する段階とをさらに備える。
【００１２】
一実施形態において、ウェアラブルＢｌｕｅｔｏｏｔｈ（登録商標）デバイスの加速度センサの計測値がプリセット第１閾値より大きいことをウェアラブルＢｌｕｅｔｏｏｔｈ（登録商標）デバイスが検出する段階は、ウェアラブルＢｌｕｅｔｏｏｔｈ（登録商標）デバイスが、加速度センサの計測値を使用することによって、ＡＣＣｘ２、ＡＣＣｙ２、およびＡＣＣｚ２を取得する段階と、ＡＣＣｘ２＋ＡＣＣｙ２＋ＡＣＣｚ２がプリセット第１閾値より大きいとき、ウェアラブルＢｌｕｅｔｏｏｔｈ（登録商標）デバイスの加速度センサの計測値がプリセット第１閾値より大きいことを検出する段階であって、ＡＣＣｘ２は、Ｘ軸方向における、加速度センサの加速度の大きさの二乗であり、ＡＣＣｙ２は、Ｙ軸方向における、加速度センサの加速度の大きさの二乗であり、ＡＣＣｚ２は、Ｚ軸方向における、加速度センサの加速度の大きさの二乗である、段階とを有する。
【００１３】
一実施形態において、モバイル端末との接続が確立された後で、ウェアラブルＢｌｕｅｔｏｏｔｈ（登録商標）デバイスが、モバイル端末に対応する現在状態を判定する段階は、ウェアラブルＢｌｕｅｔｏｏｔｈ（登録商標）デバイスが、モバイル端末との接続を確立する段階と、接続が確立された後で、ロック状態通知メッセージをモバイル端末から受信する段階と、ロック状態通知メッセージに基づいて、モバイル端末に対応する現在状態をロック状態として識別する段階と、モバイル端末がロック解除操作を実行した後で、ウェアラブルＢｌｕｅｔｏｏｔｈ（登録商標）デバイスが、ロック解除状態通知メッセージをモバイル端末から受信する段階と、ロック解除状態通知メッセージに基づいて、モバイル端末に対応する現在状態をロック解除状態として識別する段階とを有する。
【００１４】
一実施形態において、ウェアラブルＢｌｕｅｔｏｏｔｈ（登録商標）デバイスが、モバイル端末にロック解除操作を実行させるべく、ロック解除メッセージをモバイル端末へ送信する段階は、ウェアラブルＢｌｕｅｔｏｏｔｈ（登録商標）デバイスがモバイル端末に対応する処理識別子をロック解除識別子に設定した後で、ウェアラブルＢｌｕｅｔｏｏｔｈ（登録商標）デバイスの加速度センサの計測値に対応する第１タイミング情報および第１開始タイムスタンプ情報を記録する段階と、モバイル端末に、第１タイミング情報および第１開始タイムスタンプ情報に基づいてロック解除操作を実行すべきかどうかを判定させ、判定の結果が、実行すべきである場合、ロック解除操作を実行させるべく、ロック解除メッセージをモバイル端末へ送信し、第１タイミング情報および第１開始タイムスタンプ情報を含む、変更確認要求メッセージをモバイル端末へ送信する段階とを有する。
【００１５】
一実施形態において、方法は、処理識別子がロック識別子であり、かつ、現在状態がロック状態である場合、モバイル端末にロック状態を維持させる場合、ウェアラブルＢｌｕｅｔｏｏｔｈ（登録商標）デバイスが現在状態維持メッセージをモバイル端末へ送信する段階をさらに備える。
【００１６】
一実施形態において、方法は、処理識別子がロック識別子であり、かつ、現在状態がロック状態である状況において、ウェアラブルＢｌｕｅｔｏｏｔｈ（登録商標）デバイスがユーザの自発的な状態変更行為を検出した場合、ウェアラブルＢｌｕｅｔｏｏｔｈ（登録商標）デバイスが、モバイル端末にロック解除操作を実行させるべく、ロック解除メッセージをモバイル端末へ送信する段階をさらに備える。
【００１７】
一実施形態において、方法は、処理識別子がロック解除識別子またはロック識別子であり、かつ、現在状態がロック解除状態である状況において、ウェアラブルＢｌｕｅｔｏｏｔｈ（登録商標）デバイスがユーザの自発的な状態変更行為を検出した場合、ウェアラブルＢｌｕｅｔｏｏｔｈ（登録商標）デバイスが、モバイル端末にロック操作を実行させるべく、ロックメッセージをモバイル端末へ送信する段階をさらに備える。
【００１８】
一実施形態において、ウェアラブルＢｌｕｅｔｏｏｔｈ（登録商標）デバイスがユーザの自発的な状態変更行為を検出する段階は、ウェアラブルＢｌｕｅｔｏｏｔｈ（登録商標）デバイスの加速度センサの計測値がプリセット第３閾値より大きいことをウェアラブルＢｌｕｅｔｏｏｔｈ（登録商標）デバイスが検出した場合、ユーザの自発的な状態変更行為が現在時間に検出されたと判定する段階、または、ウェアラブルＢｌｕｅｔｏｏｔｈ（登録商標）デバイスの角速度センサの計測値がプリセット第４閾値より大きいことをウェアラブルＢｌｕｅｔｏｏｔｈ（登録商標）デバイスが検出した場合、ユーザの自発的な状態変更行為が現在時間に検出されたと判定する段階を有する。
【００１９】
開示される実施形態は、モバイル端末が、ロック解除メッセージをウェアラブルＢｌｕｅｔｏｏｔｈ（登録商標）デバイスから受信する段階であって、ウェアラブルＢｌｕｅｔｏｏｔｈ（登録商標）デバイスがモバイル端末に対応する現在状態をロック状態として判定し、ユーザの許可行為を用いて、モバイル端末に対応する処理識別子をロック解除識別子に設定するとき、ロック解除メッセージが送信され、処理識別子はロック識別子またはロック解除識別子であり、現在状態はロック状態またはロック解除状態である、段階と、モバイル端末が、ロック解除メッセージに基づいてロック解除操作を実行する段階とを備えるモバイル端末ロック解除方法を提供する。
【００２０】
一実施形態において、方法は、モバイル端末がウェアラブルＢｌｕｅｔｏｏｔｈ（登録商標）デバイスとの接続を確立する段階と、接続が確立された後で、ロック状態通知メッセージをウェアラブルＢｌｕｅｔｏｏｔｈ（登録商標）デバイスへ送信する段階であって、ウェアラブルＢｌｕｅｔｏｏｔｈ（登録商標）デバイスは、ロック状態通知メッセージに基づいて、モバイル端末に対応する現在状態をロック状態として判定する、段階と、モバイル端末がロック解除メッセージに基づいてロック解除操作を実行した後で、モバイル端末が、ロック解除状態通知メッセージをウェアラブルＢｌｕｅｔｏｏｔｈ（登録商標）デバイスへ送信する段階であって、ウェアラブルＢｌｕｅｔｏｏｔｈ（登録商標）デバイスは、ロック解除状態通知メッセージに基づいて、モバイル端末に対応する現在状態をロック解除状態として判定する、段階とをさらに備える。
【００２１】
一実施形態において、モバイル端末がロック解除メッセージをウェアラブルＢｌｕｅｔｏｏｔｈ（登録商標）デバイスから受信し、ロック解除メッセージに基づいてロック解除操作を実行する段階は、モバイル端末がロック解除メッセージをウェアラブルＢｌｕｅｔｏｏｔｈ（登録商標）デバイスから受信し、第１タイミング情報および第１開始タイムスタンプ情報を含む変更確認要求メッセージをウェアラブルＢｌｕｅｔｏｏｔｈ（登録商標）デバイスから受信する段階であって、第１タイミング情報および第１開始タイムスタンプ情報は、モバイル端末に対応する処理識別子がウェアラブルＢｌｕｅｔｏｏｔｈ（登録商標）デバイスによってロック解除識別子に設定された後で、ウェアラブルＢｌｕｅｔｏｏｔｈ（登録商標）デバイスによって記録される、ウェアラブルＢｌｕｅｔｏｏｔｈ（登録商標）デバイスの加速度センサの計測値に対応する第１タイミング情報および第１開始タイムスタンプ情報である、段階と、モバイル端末に対応する現在状態がロック状態として判定された後で、モバイル端末が、モバイル端末の加速度センサの計測値に対応する第２タイミング情報および第２開始タイムスタンプ情報を記録する段階と、モバイル端末が、第１タイミング情報、第１開始タイムスタンプ情報、第２タイミング情報、および第２開始タイムスタンプ情報に基づいて、ロック解除操作を実行すべきかどうかを判定する段階と、判定の結果が、実行すべきである場合、モバイル端末は、ロック解除メッセージに基づいてロック解除操作を実行する段階と、を有する。
【００２２】
第１タイミング情報は、ウェアラブルＢｌｕｅｔｏｏｔｈ（登録商標）デバイスの加速度センサの計測値の、Ｘ軸方向における加速度の大きさの二乗と、Ｙ軸方向における加速度の大きさの二乗と、Ｚ軸方向における加速度の大きさの二乗との和の第１タイミングシーケンス（ｉｎｔ‐Ｘ１、ｉｎｔ‐Ｘ２、...、ｉｎｔＸｎ）であり、第２タイミング情報は、モバイル端末の加速度センサの計測値の、Ｘ軸方向における加速度の大きさの二乗と、Ｙ軸方向における加速度の大きさの二乗と、Ｚ軸方向における加速度の大きさの二乗との和の第２タイミングシーケンス（ｉｎｔ‐Ｙ１、ｉｎｔ‐Ｙ２、...、ｉｎｔＹｍ）である。モバイル端末が、第１タイミング情報、第１開始タイムスタンプ情報、第２タイミング情報、および第２開始タイムスタンプ情報に基づいて、ロック解除操作を実行するかどうかを判定する段階は、モバイル端末が、第１開始タイムスタンプ情報および第２開始タイムスタンプ情報を使用することによって、第１タイミングシーケンスおよび第２タイミングシーケンスを揃える段階と、モバイル端末が、第１タイミングシーケンスと第２タイミングシーケンスとの間の相関係数を算出する段階と、モバイル端末が、相関係数がプリセット方針を満たすとき、ロック解除操作を実行すると判定する、または、モバイル端末が、ロック解除操作を実行しないと判定する段階とを含む。
【００２３】
一実施形態において、方法は、モバイル端末が、現在状態維持メッセージをウェアラブルＢｌｕｅｔｏｏｔｈ（登録商標）デバイスから受信する段階であって、モバイル端末に対応する処理識別子がロック識別子であり、かつ、モバイル端末に対応する現在状態がロック状態である場合、現在状態維持メッセージは、ウェアラブルＢｌｕｅｔｏｏｔｈ（登録商標）デバイスによって送信される、段階と、モバイル端末が、現在状態維持メッセージに基づいてロック状態を維持する段階とをさらに備える。
【００２４】
一実施形態において、方法は、モバイル端末が、ロック解除メッセージをウェアラブルＢｌｕｅｔｏｏｔｈ（登録商標）デバイスから受信する段階であって、モバイル端末に対応する処理識別子がロック識別子であり、かつ、現在状態がロック状態であり、かつ、ユーザの自発的な状態変更行為が検出されたとき、ロック解除メッセージが、ウェアラブルＢｌｕｅｔｏｏｔｈ（登録商標）デバイスによって送信される、段階と、モバイル端末が、ロック解除メッセージに基づいてロック解除操作を実行する段階とをさらに備える。
【００２５】
一実施形態において、方法は、モバイル端末が、ロックメッセージをウェアラブルＢｌｕｅｔｏｏｔｈ（登録商標）デバイスから受信する段階であって、モバイル端末に対応する処理識別子がロック解除識別子またはロック識別子であり、かつ、現在状態がロック解除状態であり、かつ、ユーザの自発的な状態変更行為が検出されたとき、ロックメッセージは、ウェアラブルＢｌｕｅｔｏｏｔｈ（登録商標）デバイスによって送信される、段階と、モバイル端末が、ロックメッセージに基づいて、ロック操作を実行する段階とをさらに備える。
【００２６】
開示される実施形態は、モバイル端末との接続が確立された後で、モバイル端末に対応する、ロック状態またはロック解除状態である現在状態を判定するように構成される判定モジュールと、ユーザの許可行為を検出し、ユーザの許可行為を使用することによって、ロック識別子またはロック解除識別子である、モバイル端末に対応する処理識別子を設定するように構成される設定モジュールと、ロック解除メッセージをモバイル端末へ送信し、処理識別子がロック解除識別子であり、かつ、現在状態がロック状態である場合、モバイル端末にロック解除操作を実行させるように構成される送信モジュールとを備える、ウェアラブルＢｌｕｅｔｏｏｔｈ（登録商標）デバイスを提供する。
【００２７】
一実施形態において、設定モジュールは、ウェアラブルＢｌｕｅｔｏｏｔｈ（登録商標）デバイスの加速度センサの計測値がプリセット第１閾値より大きいことが検出されたとき、ユーザの許可行為を許可済みロック解除行為として判定し、モバイル端末に対応する処理識別子をロック解除識別子に設定し、または、ウェアラブルＢｌｕｅｔｏｏｔｈ（登録商標）デバイスの角速度センサの計測値がプリセット第２閾値より大きいことが検出されたとき、ユーザの許可行為を許可済みロック解除行為として判定し、モバイル端末に対応する処理識別子をロック解除識別子に設定するように構成される。
【００２８】
一実施形態において、設定モジュールはさらに、モバイル端末に対応する処理識別子がロック解除識別子に設定された後で、モバイル端末についてのエージングタイマを始動し、エージングタイマが満了した後で、モバイル端末に対応する処理識別子をロック識別子に設定するように構成される。
【００２９】
一実施形態において、設定モジュールはさらに、加速度センサの計測値がプリセット第１閾値より大きいことを検出するプロセスにおいて、加速度センサの計測値を使用することによって、ＡＣＣｘ２、ＡＣＣｙ２、およびＡＣＣｚ２を取得し、ＡＣＣｘ２＋ＡＣＣｙ２＋ＡＣＣｚ２がプリセット第１閾値より大きいとき、ウェアラブルＢｌｕｅｔｏｏｔｈ（登録商標）デバイスの加速度センサの計測値がプリセット第１閾値より大きいことを検出するように構成され、ＡＣＣｘ２は、Ｘ軸方向における、加速度センサの加速度の大きさの二乗であり、ＡＣＣｙ２は、Ｙ軸方向における、加速度センサの加速度の大きさの二乗であり、ＡＣＣｚ２は、Ｚ軸方向における、加速度センサの加速度の大きさの二乗である。
【００３０】
一実施形態において、判定モジュールは、モバイル端末との接続を確立し、接続が確立された後で、ロック状態通知メッセージをモバイル端末から受信し、ロック状態通知メッセージに基づいて、モバイル端末に対応する現在状態をロック状態として判定し、モバイル端末がロック解除操作を実行した後で、ロック解除状態通知メッセージをモバイル端末から受信し、ロック解除状態通知メッセージに基づいて、モバイル端末に対応する現在状態をロック解除状態として判定するように構成される。
【００３１】
一実施形態において、送信モジュールは、モバイル端末に対応する処理識別子がロック解除識別子に設定された後で、ウェアラブルＢｌｕｅｔｏｏｔｈ（登録商標）デバイスの加速度センサの計測値に対応する第１タイミング情報および第１開始タイムスタンプ情報を記録し、ロック解除メッセージをモバイル端末へ送信し、第１タイミング情報および第１開始タイムスタンプ情報を含む変更確認要求メッセージをモバイル端末へ送信し、モバイル端末に、第１タイミング情報および第１開始タイムスタンプ情報に基づいてロック解除操作を実行すべきかどうかを判定させ、判定の結果が、実行すべきである場合、ロック解除操作を実行させるように構成される。
【００３２】
一実施形態において、送信モジュールはさらに、処理識別子がロック識別子であり、かつ、現在状態がロック状態である場合、現在状態維持メッセージをモバイル端末へ送信するように構成され、モバイル端末はロック状態を維持する。
【００３３】
一実施形態において、送信モジュールはさらに、処理識別子がロック識別子であり、かつ、現在状態がロック状態である状況において、送信モジュールがユーザの自発的な状態変更行為を検出した場合、ロック解除メッセージをモバイル端末へ送信し、モバイル端末にロック解除操作を実行させるように構成される。
【００３４】
一実施形態において、送信モジュールはさらに、処理識別子がロック解除識別子またはロック識別子であり、かつ、現在状態がロック解除状態である状況において、送信モジュールがユーザの自発的な状態変更行為を検出した場合、ロックメッセージをモバイル端末へ送信し、モバイル端末にロック操作を実行させるように構成される。
【００３５】
一実施形態において、送信モジュールはさらに、ユーザの自発的な状態変更行為が検出されたとき、ウェアラブルＢｌｕｅｔｏｏｔｈ（登録商標）デバイスの加速度センサの計測値がプリセット第３閾値より大きいことが検出されたとき、ユーザの自発的な状態変更行為が現在時間に検出されたと判定する、または、ウェアラブルＢｌｕｅｔｏｏｔｈ（登録商標）デバイスの角速度センサの計測値がプリセット第４閾値より大きいことが検出されたとき、ユーザの自発的な状態変更行為が現在時間に検出されたと判定するように構成される。
【００３６】
開示される実施形態は、ロック解除メッセージをウェアラブルＢｌｕｅｔｏｏｔｈ（登録商標）デバイスから受信するように構成される受信モジュールであって、ウェアラブルＢｌｕｅｔｏｏｔｈ（登録商標）デバイスがモバイル端末に対応する現在状態をロック状態として判定し、ユーザの許可行為を使用することによって、モバイル端末に対応する処理識別子をロック解除識別子に設定するとき、ロック解除メッセージが送信され、処理識別子はロック識別子またはロック解除識別子であり、現在状態はロック状態またはロック解除状態である、受信モジュールと、ロック解除メッセージに基づいてロック解除操作を実行するように構成される処理モジュールとを備えるモバイル端末を提供する。
【００３７】
一実施形態において、モバイル端末は、ウェアラブルＢｌｕｅｔｏｏｔｈ（登録商標）デバイスとの接続を確立することと、接続が確立された後で、ロック状態通知メッセージをウェアラブルＢｌｕｅｔｏｏｔｈ（登録商標）デバイスへ送信することであって、ウェアラブルＢｌｕｅｔｏｏｔｈ（登録商標）デバイスは、ロック状態通知メッセージに基づいて、モバイル端末に対応する現在状態をロック状態と判定する、ことと、処理モジュールがロック解除メッセージに基づいてロック解除操作を実行した後で、ロック解除状態通知メッセージをウェアラブルＢｌｕｅｔｏｏｔｈ（登録商標）デバイスへ送信することであって、ウェアラブルＢｌｕｅｔｏｏｔｈ（登録商標）デバイスは、ロック解除状態通知メッセージに基づいて、モバイル端末に対応する現在状態をロック解除状態と判定する、こととを行うように構成される送信モジュールをさらに備える。
【００３８】
一実施形態において、受信モジュールは、ロック解除メッセージをウェアラブルＢｌｕｅｔｏｏｔｈ（登録商標）デバイスから受信することと、第１タイミング情報および第１開始タイムスタンプ情報を含む変更確認要求メッセージをウェアラブルＢｌｕｅｔｏｏｔｈ（登録商標）デバイスから受信することであって、第１タイミング情報および第１開始タイムスタンプ情報は、モバイル端末に対応する処理識別子がウェアラブルＢｌｕｅｔｏｏｔｈ（登録商標）デバイスによってロック解除識別子に設定された後で、ウェアラブルＢｌｕｅｔｏｏｔｈ（登録商標）デバイスによって記録される、ウェアラブルＢｌｕｅｔｏｏｔｈ（登録商標）デバイスの加速度センサの計測値に対応する第１タイミング情報および第１開始タイムスタンプ情報である、こととを行うように構成され、処理モジュールは、モバイル端末に対応する現在状態がロック状態として判定された後で、モバイル端末の加速度センサの計測値に対応する第２タイミング情報および第２開始タイムスタンプ情報を記録し、第１タイミング情報、第１開始タイムスタンプ情報、第２タイミング情報、および第２開始タイムスタンプ情報に基づいて、ロック解除操作を実行すべきかどうかを判定し、判定の結果が、実行すべきである場合、ロック解除メッセージに基づいてロック解除操作を実行するように構成される。
【００３９】
一実施形態において、第１タイミング情報は、ウェアラブルＢｌｕｅｔｏｏｔｈ（登録商標）デバイスの加速度センサの計測値の、Ｘ軸方向における加速度の大きさの二乗と、Ｙ軸方向における加速度の大きさの二乗と、Ｚ軸方向における加速度の大きさの二乗との和の第１タイミングシーケンス（ｉｎｔ‐Ｘ１、ｉｎｔ‐Ｘ２、...、ｉｎｔＸｎ）であり、第２タイミング情報は、モバイル端末の加速度センサの計測値の、Ｘ軸方向における加速度の大きさの二乗と、Ｙ軸方向における加速度の大きさの二乗と、Ｚ軸方向における加速度の大きさの二乗との和の第２タイミングシーケンス（ｉｎｔ‐Ｙ１、ｉｎｔ‐Ｙ２、...、ｉｎｔＹｍ）であり、第１タイミング情報、第１開始タイムスタンプ情報、第２タイミング情報、および第２開始タイムスタンプ情報に基づいて、ロック解除操作を実行するかどうかを判定するプロセスにおいて、処理モジュールはさらに、第１開始タイムスタンプ情報および第２開始タイムスタンプ情報を使用することによって、第１タイミングシーケンスおよび第２タイミングシーケンスを揃えることと、第１タイミングシーケンスと第２タイミングシーケンスとの間の相関係数を算出し、相関係数がプリセット方針を満たすとき、ロック解除操作を実行すると判定し、そうでないとき、ロック解除操作をキャンセルすると判定するように構成される。
【００４０】
一実施形態において、受信モジュールはさらに、現在状態維持メッセージをウェアラブルＢｌｕｅｔｏｏｔｈ（登録商標）デバイスから受信するように構成され、現在状態維持メッセージは、モバイル端末に対応する処理識別子がロック識別子であり、かつ、モバイル端末に対応する現在状態がロック状態である場合にウェアラブルＢｌｕｅｔｏｏｔｈ（登録商標）デバイスによって送信され、処理モジュールはさらに、現在状態維持メッセージに基づいてロック状態を維持するように構成される。
【００４１】
一実施形態において、受信モジュールはさらに、ロック解除メッセージをウェアラブルＢｌｕｅｔｏｏｔｈ（登録商標）デバイスから受信するように構成され、ロック解除メッセージは、モバイル端末に対応する処理識別子がロック識別子であり、かつ、現在状態がロック状態であり、かつ、ユーザの自発的な状態変更行為が検出されたとき、ウェアラブルＢｌｕｅｔｏｏｔｈ（登録商標）デバイスによって送信され、処理モジュールはさらに、ロック解除メッセージに基づいてロック解除操作を実行するように構成される。
【００４２】
一実施形態において、受信モジュールはさらに、ロックメッセージをウェアラブルＢｌｕｅｔｏｏｔｈ（登録商標）デバイスから受信するように構成され、ロックメッセージは、モバイル端末に対応する処理識別子がロック解除識別子またはロック識別子であり、かつ、現在状態がロック解除状態であり、かつ、ユーザの自発的な状態変更行為が検出されたとき、ウェアラブルＢｌｕｅｔｏｏｔｈ（登録商標）デバイスによって送信され、処理モジュールはさらに、ロックメッセージに基づいて、ロック操作を実行するように構成される。
【００４３】
現在の技法と比較して、開示される実施形態は、少なくとも以下の利点を有する。すなわち、開示される実施形態において、ウェアラブルＢｌｕｅｔｏｏｔｈ（登録商標）デバイスは、モバイル端末の所有者の意思（すなわち、ユーザの真の意図）に基づいて、モバイル端末上でロック解除操作またはロック操作を実行でき、したがって、ユーザエクスペリエンスを改善し、ユーザのプライバシーを効果的に保護し、所有者の個人情報が漏洩するリスクを効果的に回避する。ユーザはウェアラブルＢｌｕｅｔｏｏｔｈ（登録商標）デバイス上で手動操作を実行する必要が無いので、それにより、モバイル端末の所有者にとって便利になる。
【図面の簡単な説明】
【００４４】
開示される実施形態における技術的解決法をより明確に例示するべく、開示される実施形態を説明するために必要な図面を以下で簡潔に紹介する。以下で説明される図面は、いくつかの開示される実施形態に過ぎず、当業者であれば、創造的努力なしで、開示される実施形態におけるこれらの図面に従って、他の図面を得ることもできるであろう。
【００４５】
【図１】本開示のいくつかの実施形態に係るモバイル端末ロック解除方法を例示するフロー図である。
【００４６】
【図２】本開示のいくつかの実施形態に係るモバイル端末ロック解除方法を例示するフロー図である。
【００４７】
【図３】本開示のいくつかの実施形態に係るウェアラブルＢｌｕｅｔｏｏｔｈ（登録商標）デバイスの論理ブロック図である。
【００４８】
【図４】本開示のいくつかの実施形態に係るモバイル端末の論理ブロック図である。
【発明を実施するための形態】
【００４９】
図面を参照しながら、開示される実施形態における技術的解決法を以下で明確かつ完全に説明する。説明される実施形態は、開示される実施形態の全てではなく、その一部に過ぎない。開示される実施形態に基づいて、創造的努力なしで当業者によって得られる他の全ての実施形態は、本開示の範囲内に含まれるものとする。
【００５０】
［実施形態１］
現在のシステムにおける上述の問題を解決するために、実施形態１では、モバイル端末のためのロック解除方法を提供する。図１に示されるように、モバイル端末ロック解除方法は、以下の段階を備え得る。
【００５１】
段階１０１：ウェアラブルＢｌｕｅｔｏｏｔｈ（登録商標）デバイスは、デバイスとモバイル端末との間の接続が確立された後で、ロック状態またはロック解除状態を含む、モバイル端末に対応する現在状態を判定する。本明細書においては、ウェアラブルＢｌｕｅｔｏｏｔｈ（登録商標）デバイスに言及されているが、同様の機能を実行する他のワイヤレスデバイス（例えば、非ウェアラブルおよび／または非Ｂｌｕｅｔｏｏｔｈ（登録商標））も使用され得る。
【００５２】
段階１０２：ウェアラブルＢｌｕｅｔｏｏｔｈ（登録商標）デバイスは、ユーザ許可行為をデバイスから検出し、ユーザ許可行為を使用することにより、ロック識別子またはロック解除識別子である、モバイル端末に対応する処理識別子を設定する。
【００５３】
段階１０３：処理識別子がロック解除識別子であり、かつ、現在状態がロック状態である場合、ウェアラブルＢｌｕｅｔｏｏｔｈ（登録商標）デバイスはロック解除メッセージをモバイル端末へ伝送し、モバイル端末はロック解除操作を実行する。
【００５４】
一実施形態において、ウェアラブルＢｌｕｅｔｏｏｔｈ（登録商標）デバイスが、ユーザの許可行為を検出し、ユーザの許可行為を用いて、モバイル端末に対応する処理識別子を設定するプロセスは、ウェアラブルＢｌｕｅｔｏｏｔｈ（登録商標）デバイスの加速度センサの計測値がプリセット第１閾値より大きいことをウェアラブルＢｌｕｅｔｏｏｔｈ（登録商標）デバイスが検出した場合、ユーザの許可行為を許可済みロック解除行為として判定し、モバイル端末に対応する処理識別子をロック解除識別子に設定することを有し得る。
【００５５】
代替的に、または、上述の実施形態と併せて、ユーザの許可行為を検出し、ユーザの許可行為を用いてモバイル端末に対応する処理識別子を設定する段階は、ウェアラブルＢｌｕｅｔｏｏｔｈ（登録商標）デバイスの角速度センサの計測値がプリセット第２閾値より大きいことをウェアラブルＢｌｕｅｔｏｏｔｈ（登録商標）デバイスが検出した場合、ユーザの許可行為を許可済みロック解除行為として判定し、モバイル端末に対応する処理識別子をロック解除識別子に設定する段階を有し得る。加速度センサおよび角速度センサは、モーションセンサと総称される。
【００５６】
当然ながら、実際の用途においては、加速度センサの計測値、または、角速度センサの計測値を使用することによって、ユーザの許可行為を許可済みロック解除行為として判定することに限定されるものではない。例えば、音声の計測値に基づいて、ユーザの許可行為を許可済みロック解除行為として判定することもあり得る。他の判定方法は本明細書において詳細に説明されない。
【００５７】
一実施形態において、ウェアラブルＢｌｕｅｔｏｏｔｈ（登録商標）デバイスはさらに、ウェアラブルＢｌｕｅｔｏｏｔｈ（登録商標）デバイスが、モバイル端末に対応する処理識別子をロック解除識別子に設定した後で、モバイル端末についてのエージングタイマを始動し得て、エージングタイマが満了した後で、ウェアラブルＢｌｕｅｔｏｏｔｈ（登録商標）デバイスは、モバイル端末に対応する処理識別子をロック識別子に設定する。
【００５８】
一実施形態において、ウェアラブルＢｌｕｅｔｏｏｔｈ（登録商標）デバイスの加速度センサの計測値がプリセット第１閾値より大きいことをウェアラブルＢｌｕｅｔｏｏｔｈ（登録商標）デバイスが検出するプロセスは、ウェアラブルＢｌｕｅｔｏｏｔｈ（登録商標）デバイスが、加速度センサの計測値を使用することによって、ＡＣＣｘ２、ＡＣＣｙ２、およびＡＣＣｚ２を取得することと、ＡＣＣｘ２＋ＡＣＣｙ２＋ＡＣＣｚ２がプリセット第１閾値より大きいとき、ウェアラブルＢｌｕｅｔｏｏｔｈ（登録商標）デバイスの加速度センサの計測値がプリセット第１閾値より大きいことを検出することであって、ＡＣＣｘ２は、Ｘ軸方向における、加速度センサの加速度の大きさの二乗であり、ＡＣＣｙ２は、Ｙ軸方向における、加速度センサの加速度の大きさの二乗であり、ＡＣＣｚ２は、Ｚ軸方向における、加速度センサの加速度の大きさの二乗である、こととを有する。
【００５９】
一実施形態において、モバイル端末との接続が確立された後で、ウェアラブルＢｌｕｅｔｏｏｔｈ（登録商標）デバイスが、モバイル端末に対応する現在状態を判定するプロセスは、ウェアラブルＢｌｕｅｔｏｏｔｈ（登録商標）デバイスが、モバイル端末との接続を確立することと、モバイル端末との接続が確立された後で、ウェアラブルＢｌｕｅｔｏｏｔｈ（登録商標）デバイスが、ロック状態通知メッセージをモバイル端末から受信することと、ロック状態通知メッセージに基づいて、モバイル端末に対応する現在状態をロック状態として判定することとを有する。さらに、ウェアラブルＢｌｕｅｔｏｏｔｈ（登録商標）デバイスは、モバイル端末がロック解除操作を実行した後で、ロック解除状態通知メッセージをモバイル端末から受信し、ロック解除状態通知メッセージに基づいて、モバイル端末に対応する現在状態をロック解除状態として判定する。
【００６０】
一実施形態において、ウェアラブルＢｌｕｅｔｏｏｔｈ（登録商標）デバイスが、ロック解除メッセージをモバイル端末へ送信し、モバイル端末にロック解除操作を実行させるプロセスは、ウェアラブルＢｌｕｅｔｏｏｔｈ（登録商標）デバイスがモバイル端末に対応する処理識別子をロック解除識別子に設定した後で、ウェアラブルＢｌｕｅｔｏｏｔｈ（登録商標）デバイスの加速度センサの計測値に対応する第１タイミング情報および第１開始タイムスタンプ情報を記録することと、ロック解除メッセージをモバイル端末へ送信し、第１タイミング情報および第１開始タイムスタンプ情報を含む変更確認要求メッセージをモバイル端末へ送信することであって、モバイル端末は、第１タイミング情報および第１開始タイムスタンプ情報に基づいてロック解除操作を実行すべきかどうかを判定し、判定の結果が、実行すべきである場合、モバイル端末は、ロック解除操作を実行させる、こととを有する。
【００６１】
一実施形態において、処理識別子がロック識別子であり、かつ、現在状態がロック状態である場合、ウェアラブルＢｌｕｅｔｏｏｔｈ（登録商標）デバイスは現在状態維持メッセージをモバイル端末へ送信し、モバイル端末はロック状態を維持する。
【００６２】
さらに、一実施形態において、処理識別子がロック識別子であり、かつ、現在状態がロック状態である状況において、ウェアラブルＢｌｕｅｔｏｏｔｈ（登録商標）デバイスがユーザの自発的な状態変更行為を検出した場合、ウェアラブルＢｌｕｅｔｏｏｔｈ（登録商標）デバイスはロック解除メッセージをモバイル端末へ送信し得て、モバイル端末はロック解除操作を実行する。
【００６３】
一実施形態において、処理識別子がロック解除識別子またはロック識別子であり、かつ、現在状態がロック解除状態である状況において、ウェアラブルＢｌｕｅｔｏｏｔｈ（登録商標）デバイスがユーザの自発的な状態変更行為を検出した場合、ウェアラブルＢｌｕｅｔｏｏｔｈ（登録商標）デバイスはロックメッセージをモバイル端末へ送信し、モバイル端末はロック操作を実行する。
【００６４】
一実施形態において、ウェアラブルＢｌｕｅｔｏｏｔｈ（登録商標）デバイスがユーザの自発的な状態変更行為を検出するプロセスは、ウェアラブルＢｌｕｅｔｏｏｔｈ（登録商標）デバイスの加速度センサの計測値がプリセット第３閾値より大きいことをウェアラブルＢｌｕｅｔｏｏｔｈ（登録商標）デバイスが検出した場合、ユーザの自発的な状態変更行為が現在時間に検出されたと判定すること、または、ウェアラブルＢｌｕｅｔｏｏｔｈ（登録商標）デバイスの角速度センサの計測値がプリセット第４閾値より大きいことをウェアラブルＢｌｕｅｔｏｏｔｈ（登録商標）デバイスが検出した場合、ユーザの自発的な状態変更行為が現在時間に検出されたと判定することを有する。プリセット第３閾値は、プリセット第１閾値より大きく、プリセット第４閾値は、プリセット第２閾値より大きい。
【００６５】
現在の技法と比較して、開示される実施形態は、少なくとも以下の利点を有する。すなわち、ウェアラブルＢｌｕｅｔｏｏｔｈ（登録商標）デバイスは、モバイル端末の所有者の意思（すなわち、ユーザの真の意図）に基づいて、モバイル端末上でロック解除操作またはロック操作を実行でき、したがって、ユーザエクスペリエンスを改善し、ユーザのプライバシーを効果的に保護し、所有者の個人情報が漏洩するリスクを効果的に回避する。ユーザはウェアラブルＢｌｕｅｔｏｏｔｈ（登録商標）デバイス上で手動操作を実行する必要が無いので、それにより、モバイル端末の所有者にとって便利になる。
【００６６】
［実施形態２］
実施形態２は、現在の技法における問題を指摘することを目的として、モバイル端末ロック解除方法を提供する。図２に示されるように、モバイル端末ロック解除方法は、以下の段階を備え得る。
【００６７】
段階２０１：モバイル端末は、ウェアラブルＢｌｕｅｔｏｏｔｈ（登録商標）デバイスがモバイル端末に対応する現在状態をロック状態として判定したときに送信されるロック解除メッセージをウェアラブルＢｌｕｅｔｏｏｔｈ（登録商標）デバイスから受信し、ユーザの許可行為を使用することによって、処理識別子をロック解除識別子に設定する。一実施形態において、処理識別子は、ロック識別子またはロック解除識別子であり、現在状態はロック状態またはロック解除状態である。
【００６８】
段階２０２：モバイル端末はロック解除メッセージに基づいてロック解除操作を実行する。
【００６９】
一実施形態において、モバイル端末は、ウェアラブルＢｌｕｅｔｏｏｔｈ（登録商標）デバイスとの接続を確立し、モバイル端末は、モバイル端末がウェアラブルＢｌｕｅｔｏｏｔｈ（登録商標）デバイスとの接続を確立した後で、ロック状態通知メッセージをウェアラブルＢｌｕｅｔｏｏｔｈ（登録商標）デバイスへ送信し、ウェアラブルＢｌｕｅｔｏｏｔｈ（登録商標）デバイスは、ロック状態通知メッセージに基づいて、モバイル端末に対応する現在状態をロック状態として判定する。さらに、モバイル端末は、モバイル端末がロック解除メッセージに基づいてロック解除操作を実行した後で、ロック解除状態通知メッセージをウェアラブルＢｌｕｅｔｏｏｔｈ（登録商標）デバイスへ送信し、ウェアラブルＢｌｕｅｔｏｏｔｈ（登録商標）デバイスは、ロック解除状態通知メッセージに基づいて、モバイル端末に対応する現在状態をロック解除状態として判定する。
【００７０】
一実施形態において、モバイル端末がロック解除メッセージをウェアラブルＢｌｕｅｔｏｏｔｈ（登録商標）デバイスから受信し、ロック解除メッセージに基づいてロック解除操作を実行するプロセスは、モバイル端末がロック解除メッセージをウェアラブルＢｌｕｅｔｏｏｔｈ（登録商標）デバイスから受信し、第１タイミング情報および第１開始タイムスタンプ情報を含む変更確認要求メッセージをウェアラブルＢｌｕｅｔｏｏｔｈ（登録商標）デバイスから受信することであって、第１タイミング情報および第１開始タイムスタンプ情報は、モバイル端末に対応する処理識別子がウェアラブルＢｌｕｅｔｏｏｔｈ（登録商標）デバイスによってロック解除識別子に設定された後で、ウェアラブルＢｌｕｅｔｏｏｔｈ（登録商標）デバイスによって記録される、ウェアラブルＢｌｕｅｔｏｏｔｈ（登録商標）デバイスの加速度センサの計測値に対応する第１タイミング情報および第１開始タイムスタンプ情報である、ことを有する。さらに、モバイル端末は、モバイル端末に対応する現在状態がロック状態として判定された後で、モバイル端末の加速度センサの計測値に対応する第２タイミング情報および第２開始タイムスタンプ情報を記録する。その後、モバイル端末は、第１タイミング情報、第１開始タイムスタンプ情報、第２タイミング情報、および第２開始タイムスタンプ情報に基づいて、ロック解除操作を実行すべきかどうか判断し、判定の結果が、実行すべきである場合、モバイル端末は、ロック解除メッセージに基づいてロック解除操作を実行する。
【００７１】
一実施形態において、第１タイミング情報は、ウェアラブルＢｌｕｅｔｏｏｔｈ（登録商標）デバイスの加速度センサの計測値の、Ｘ軸方向における加速度の大きさの二乗と、Ｙ軸方向における加速度の大きさの二乗と、Ｚ軸方向における加速度の大きさの二乗との和の第１タイミングシーケンス（ｉｎｔ‐Ｘ１、ｉｎｔ‐Ｘ２、...、ｉｎｔＸｎ）である。第２タイミング情報は、モバイル端末の加速度センサの計測値の、Ｘ軸方向における加速度の大きさの二乗と、Ｙ軸方向における加速度の大きさの二乗と、Ｚ軸方向における加速度の大きさの二乗との和の第２タイミングシーケンス（ｉｎｔ‐Ｙ１、ｉｎｔ‐Ｙ２、...、ｉｎｔＹｍ）である。
【００７２】
これに基づいて、モバイル端末が、第１タイミング情報、第１開始タイムスタンプ情報、第２タイミング情報、および第２開始タイムスタンプ情報に基づいて、ロック解除操作を実行すべきかどうかを判定するプロセスは、モバイル端末が、第１開始タイムスタンプ情報および第２開始タイムスタンプ情報を使用することによって、第１タイミングシーケンスおよび第２タイミングシーケンスを揃えることを有する。さらに、モバイル端末は、第１タイミングシーケンスと第２タイミングシーケンスとの間の相関係数を算出する。モバイル端末は、相関係数がプリセット方針を満たすとき、ロック解除操作を実行すると判定し、モバイル端末は、相関係数がプリセット方針を満たさないとき、ロック解除操作をキャンセルすると判定する。
【００７３】
一実施形態において、モバイル端末はさらに、現在状態維持メッセージをウェアラブルＢｌｕｅｔｏｏｔｈ（登録商標）デバイスから受信し得て、現在状態維持メッセージは、モバイル端末に対応する処理識別子がロック識別子であり、かつ、モバイル端末に対応する現在状態がロック状態である場合にウェアラブルＢｌｕｅｔｏｏｔｈ（登録商標）デバイスによって送信される。さらに、モバイル端末は、現在状態維持メッセージに基づいてロック状態を維持し得る。
【００７４】
一実施形態において、モバイル端末はさらに、ロック解除メッセージをウェアラブルＢｌｕｅｔｏｏｔｈ（登録商標）デバイスから受信し得て、ロック解除メッセージは、モバイル端末に対応する処理識別子がロック識別子であり、かつ、現在状態がロック状態であり、かつ、ウェアラブルＢｌｕｅｔｏｏｔｈ（登録商標）デバイスがユーザの自発的な状態変更行為を検出した場合、ウェアラブルＢｌｕｅｔｏｏｔｈ（登録商標）デバイスによって送信される。さらに、モバイル端末は、ロック解除メッセージに基づいてロック解除操作を実行し得る。
【００７５】
一実施形態において、モバイル端末はさらに、ロックメッセージをウェアラブルＢｌｕｅｔｏｏｔｈ（登録商標）デバイスから受信し得て、ロックメッセージは、モバイル端末に対応する処理識別子がロック解除識別子またはロック識別子であり、かつ、現在状態がロック解除状態であり、かつ、ウェアラブルＢｌｕｅｔｏｏｔｈ（登録商標）デバイスがユーザの自発的な状態変更行為を検出した場合、ウェアラブルＢｌｕｅｔｏｏｔｈ（登録商標）デバイスによって送信される。さらに、モバイル端末は、ロックメッセージに基づいてロック操作を実行し得る。
【００７６】
現在の技法と比較して、開示される実施形態は、少なくとも以下の利点を有する。すなわち、ウェアラブルＢｌｕｅｔｏｏｔｈ（登録商標）デバイスは、モバイル端末の所有者の意思（すなわち、ユーザの真の意図）に基づいて、モバイル端末上でロック解除操作またはロック操作を実行でき、したがって、ユーザエクスペリエンスを改善し、ユーザのプライバシーを効果的に保護し、所有者の個人情報が漏洩するリスクを効果的に回避する。ユーザはウェアラブルＢｌｕｅｔｏｏｔｈ（登録商標）デバイス上で手動操作を実行する必要が無い。したがって、これによってモバイル端末の所有者に利便性が提供される。
【００７７】
開示される実施形態の技術的解決法は、具体的な用途のシナリオと併せて、詳細に例示される。
【００７８】
一実施形態において、ウェアラブルＢｌｕｅｔｏｏｔｈ（登録商標）デバイスは、競技用ブレスレットであり得て、モバイル端末は、携帯電話および／またはタブレットなどのデバイスであり得る。例として、ウェアラブルＢｌｕｅｔｏｏｔｈ（登録商標）デバイスおよびモバイル端末は、モバイル医療アプリケーションサービスの一部として利用され得て、医療従事者および患者／ユーザの個人情報を保護するために使用され得る。ロックおよびロック解除のための許可行為／意図は、モバイル端末の所有者によって決定されるので、モバイル端末は、対応するロック操作またはロック解除操作を実行するように自動的に通知を受け、したがって、所有者の個人情報が漏洩するリスクを効果的に回避する。一方、ユーザは、ウェアラブルＢｌｕｅｔｏｏｔｈ（登録商標）デバイス上で手動操作を実行する必要が無く、したがって、ユーザに利便性が提供される。
【００７９】
１．ウェアラブルＢｌｕｅｔｏｏｔｈ（登録商標）デバイス（競技用ブレスレットなど）の組成。
【００８０】
Ｂｌｕｅｔｏｏｔｈ（登録商標）通信モジュールは、ウェアラブルＢｌｕｅｔｏｏｔｈ（登録商標）デバイスの一意の識別子（ＭＡＣアドレスなど）をブロードキャストし、モバイル端末との無線接続を確立し、無線接続に基づいて、モバイル端末との情報インタラクションを実行するように構成される。ロック状態モジュールは、現在時間におけるモバイル端末の現在状態（ロック状態（ｌｏｃｋ）もしくはロック解除状態（ｕｎｌｏｃｋ）、または、デフォルトのｕｎｋｎｏｗｎなど）を記録し、ウェアラブルＢｌｕｅｔｏｏｔｈ（登録商標）デバイスとモバイル端末との間にＢｌｕｅｔｏｏｔｈ（登録商標）接続が確立された後で、モバイル端末の現在状態（ｌｏｃｋまたはｕｎｌｏｃｋ）を取得するように構成される。モバイル端末の所有者がモバイル端末上でロック解除操作またはロック操作を実行することを意図しているとき、対応するユーザの行為（運動行為記録）がウェアラブルＢｌｕｅｔｏｏｔｈ（登録商標）デバイス上で生成され得て、未知のユーザがモバイル端末を使用するとき、対応する運動行為記録は、ウェアラブルＢｌｕｅｔｏｏｔｈ（登録商標）デバイス上で生成されない。このようにして、許可検知モジュールは、運動行為記録に基づいてユーザの許可行為を認識するように構成される。許可通知モジュールは、Ｂｌｕｅｔｏｏｔｈ（登録商標）通信モジュールおよび許可検知モジュールの状態に従って、モバイル端末をロック解除するための許可コマンド（すなわち、ロック解除メッセージ）、または、モバイル端末をロックするための許可コマンド（すなわち、ロックメッセージ）をモバイル端末へ送信するように構成される。
【００８１】
許可検知モジュールは、ユーザの許可行為を認識するとき、ウェアラブルＢｌｕｅｔｏｏｔｈ（登録商標）デバイスの加速度センサ（三軸加速度計など）に基づいて、記録されたユーザの運動行為を検知し得て、それにより、モバイル端末の所有者が、ロック解除操作またはロック操作の許可を意図していると判定する。代替的に、または、上述と併せて、許可検知モジュールは、ウェアラブルＢｌｕｅｔｏｏｔｈ（登録商標）デバイスの角速度センサ（ジャイロスコープセンサなど）に基づいて、記録されたユーザの運動行為を検知し得て、それにより、モバイル端末の所有者が、ロック解除操作またはロック操作の許可を意図していると判定する。実際の用途においては、加速度センサの計測値、または、角速度センサの計測値を使用することによって、ユーザの許可行為を許可済みロック解除行為として判定することに限定されるものではない。例えば、音声センサの計測値に基づいて、ユーザの許可行為を許可済みロック解除行為として判定することもあり得、他の判定方法は本明細書において詳細に説明されない。
【００８２】
三軸加速度計は、本明細書において例として使用される。ウェアラブルＢｌｕｅｔｏｏｔｈ（登録商標）デバイスは、三軸加速度計の計測値を使用することによって、（本明細書において説明される）測定値ＡＣＣｘ２、ＡＣＣｙ２、およびＡＣＣｚ２を取得する。ＡＣＣｘ２＋ＡＣＣｙ２＋ＡＣＣｚ２がプリセット閾値ａより大きいとき、モバイル端末の所有者がロック解除操作の許可を意図していることが示される。ＡＣＣｘ２は、Ｘ軸方向における、三軸加速度計によって計測される加速度の大きさの二乗であり、ＡＣＣｙ２は、Ｙ軸方向における、三軸加速度計によって計測される加速度の大きさの二乗であり、ＡＣＣｚ２は、Ｚ軸方向における、三軸加速度計によって計測される加速度の大きさの二乗である。さらに、プリセット閾値ａは、経験、または、分類モデルもしくは他の機械学習技法を使用することによるトレーニングに応じた、大きさの閾値である。
【００８３】
２．ウェアラブルＢｌｕｅｔｏｏｔｈ（登録商標）デバイスの許可検知モジュール。ユーザ許可の意図／コマンドは、ユーザの許可行為を検出することによって判定され、モバイル端末に対応する処理識別子（ロック識別子またはロック解除識別子）が設定される。
【００８４】
具体的には、許可検知モジュールは最初に、ユーザがモバイル端末をロックすることを意図しているとみなし、モバイル端末に対応する処理識別子（ｌｏｃｋ＿ｆｌａｇ）をロック識別子（例えば、１）に設定する。加速度センサまたは角速度センサの計測値が特定の閾値ａより大きいことを許可検知モジュールが検出した場合、ユーザの許可行為は、許可済みロック解除行為として判定され、モバイル端末に対応する処理識別子（ｌｏｃｋ＿ｆｌａｇ）は、ロック解除識別子（例えば、０）に設定される。さらに、ウェアラブルＢｌｕｅｔｏｏｔｈ（登録商標）デバイスは、モバイル端末のためのエージングタイマを始動し、許可検知モジュールは、エージングタイマの満了後に、モバイル端末に対応する処理識別子を１に設定する。
【００８５】
３．モバイル端末が、ウェアラブルＢｌｕｅｔｏｏｔｈ（登録商標）デバイスによって検出されるユーザの許可行為に基づいて、ロック解除操作を実行する。
【００８６】
段階１：モバイル端末が、ウェアラブルＢｌｕｅｔｏｏｔｈ（登録商標）デバイスとの接続を確立する。モバイル端末がウェアラブルＢｌｕｅｔｏｏｔｈ（登録商標）デバイスとの接続を確立する前に、モバイル端末はすでに、ウェアラブルＢｌｕｅｔｏｏｔｈ（登録商標）デバイスとのペアリングに成功し、ウェアラブルＢｌｕｅｔｏｏｔｈ（登録商標）デバイスの一意の識別子（ＭＡＣアドレスなど）をロック解除識別子として記憶している。
【００８７】
段階２：モバイル端末は、ロック状態通知メッセージをウェアラブルＢｌｕｅｔｏｏｔｈ（登録商標）デバイスへ送信する。ロック状態通知メッセージは、モバイル端末に対応する現在状態がロック状態（ｌｏｃｋ）であることを通知するために使用される。ウェアラブルＢｌｕｅｔｏｏｔｈ（登録商標）デバイスは、ロック状態通知情報を受信した後で、モバイル端末に対応する現在状態をロック状態として記録する。
【００８８】
段階３：ウェアラブルＢｌｕｅｔｏｏｔｈ（登録商標）デバイスは、モバイル端末に対応する処理識別子（ユーザの許可行為に基づいて設定される処理識別子）を照会する。処理識別子（ｌｏｃｋ＿ｆｌａｇ）は、ロック識別子またはロック解除識別子である。
【００８９】
段階４：モバイル端末に対応する処理識別子がロック解除識別子である場合、ウェアラブルＢｌｕｅｔｏｏｔｈ（登録商標）デバイスは、ロック解除メッセージをモバイル端末へ送信する。ロック解除メッセージは、ロック解除操作を実行するようにモバイル端末に通知するために使用される。モバイル端末に対応する処理識別子がロック識別子である場合、ウェアラブルＢｌｕｅｔｏｏｔｈ（登録商標）デバイスは、現在状態維持メッセージをモバイル端末へ送信する。現在状態維持メッセージは、現在状態を維持するようにモバイル端末に通知するために使用される。
【００９０】
段階５：モバイル端末は、ロック解除メッセージをウェアラブルＢｌｕｅｔｏｏｔｈ（登録商標）デバイスから受信し、次に、ロック解除操作を実行する。モバイル端末は、現在状態維持メッセージをウェアラブルＢｌｕｅｔｏｏｔｈ（登録商標）デバイスから受信し、次に、ロック状態を維持する。
【００９１】
段階６：モバイル端末はさらに、モバイル端末がロック解除操作を実行した後で、ロック解除状態通知メッセージをウェアラブルＢｌｕｅｔｏｏｔｈ（登録商標）デバイスへ送信し得る。ロック解除状態通知メッセージは、モバイル端末に対応する現在状態がロック解除状態（ｕｎｌｏｃｋ）であることを通知するために使用される。さらに、ウェアラブルＢｌｕｅｔｏｏｔｈ（登録商標）デバイスは、ロック解除通知情報を受信した後で、モバイル端末に対応する現在状態をロック解除状態（ｕｎｌｏｃｋ）として記録する。
【００９２】
４．モバイル端末が、ウェアラブルＢｌｕｅｔｏｏｔｈ（登録商標）デバイスによって検出されたユーザの許可行為に基づいて、ロック解除操作を実行する。
【００９３】
段階１：モバイル端末がウェアラブルＢｌｕｅｔｏｏｔｈ（登録商標）デバイスとの接続を確立する。モバイル端末がウェアラブルＢｌｕｅｔｏｏｔｈ（登録商標）デバイスとの接続を確立する前に、モバイル端末はすでに、ウェアラブルＢｌｕｅｔｏｏｔｈ（登録商標）デバイスとのペアリングに成功していて、ウェアラブルＢｌｕｅｔｏｏｔｈ（登録商標）デバイスの一意の識別子（ＭＡＣアドレスなど）をロック解除識別子として記憶している。
【００９４】
段階２：モバイル端末は、ロック状態通知メッセージをウェアラブルＢｌｕｅｔｏｏｔｈ（登録商標）デバイスへ送信し、ロック状態通知メッセージは、モバイル端末に対応する現在状態がロック状態（ｌｏｃｋ）であることを通知するために使用される。ウェアラブルＢｌｕｅｔｏｏｔｈ（登録商標）デバイスは、ロック状態通知情報を受信した後で、モバイル端末に対応する現在状態をロック状態として記録する。
【００９５】
段階３：ウェアラブルＢｌｕｅｔｏｏｔｈ（登録商標）デバイスは、モバイル端末に対応する処理識別子（ユーザの許可行為に基づいて設定される処理識別子）を照会する。処理識別子（ｌｏｃｋ＿ｆｌａｇ）は、ロック識別子またはロック解除識別子である。
【００９６】
段階４：モバイル端末に対応する処理識別子がロック識別子である場合、ウェアラブルＢｌｕｅｔｏｏｔｈ（登録商標）デバイスは、現在状態維持メッセージをモバイル端末へ送信する。現在状態維持メッセージは、現在状態を維持するようにモバイル端末に通知するために使用される。モバイル端末に対応する処理識別子がロック解除識別子である場合、ウェアラブルＢｌｕｅｔｏｏｔｈ（登録商標）デバイスは、ロック解除行為を確認するようにモバイル端末に通知し、ウェアラブルＢｌｕｅｔｏｏｔｈ（登録商標）デバイスの加速度センサの計測値に対応する第１タイミング情報および第１開始タイムスタンプ情報Ｔｉｍｅｓｔａｍｐ１を記録し、ロック解除メッセージをモバイル端末へ送信し、第１タイミング情報および第１開始タイムスタンプ情報を含む変更確認要求メッセージをモバイル端末へ送信する。第１タイミング情報は、ウェアラブルＢｌｕｅｔｏｏｔｈ（登録商標）デバイスの加速度センサの計測値の、Ｘ軸方向における加速度の大きさの二乗と、Ｙ軸方向における加速度の大きさの二乗と、Ｚ軸方向における加速度の大きさの二乗との和の第１タイミングシーケンス（ｉｎｔ‐Ｘ１、ｉｎｔ‐Ｘ２、...、ｉｎｔＸｎ）である。
【００９７】
段階５：モバイル端末は、現在状態維持メッセージをウェアラブルＢｌｕｅｔｏｏｔｈ（登録商標）デバイスから受信し、次に、ロック状態を維持する。モバイル端末は、ロック解除行為の確認の通知をウェアラブルＢｌｕｅｔｏｏｔｈ（登録商標）デバイスから受信した後で、モバイル端末の加速度センサの計測値に対応する第２タイミング情報および第２開始タイムスタンプ情報Ｔｉｍｅｓｔａｍｐ２を記録する。第２タイミング情報は、モバイル端末の加速度センサの計測値の、Ｘ軸方向における加速度の大きさの二乗と、Ｙ軸方向における加速度の大きさの二乗と、Ｚ軸方向における加速度の大きさの二乗との和の第２タイミングシーケンス（ｉｎｔ‐Ｙ１、ｉｎｔ‐Ｙ２、...、ｉｎｔＹｍ）である。
【００９８】
段階６：モバイル端末は、変更確認要求メッセージをウェアラブルＢｌｕｅｔｏｏｔｈ（登録商標）デバイスから受信した後で、第１タイミングシーケンス（ｉｎｔ‐Ｘ１、ｉｎｔ‐Ｘ２、...、ｉｎｔＸｎ）を第２タイミングシーケンス（ｉｎｔ‐Ｙ１、ｉｎｔ‐Ｙ２、...、ｉｎｔＹｍ）と揃える。すなわち、第１開始タイムスタンプ情報Ｔｉｍｅｓｔａｍｐ１および第２開始タイムスタンプ情報Ｔｉｍｅｓｔａｍｐ２を使用することによって、Ｘシーケンス｛ｘ１、...ｘｎ｝をＹシーケンス｛ｙ１、...ｙｎ｝と揃える。モバイル端末は、第１タイミングシーケンス（Ｘシーケンス）と第２タイミングシーケンス（Ｙシーケンス）との間の相関係数を算出する。モバイル端末は、相関係数がプリセット方針（例えば、１に近い）を満たすとき、ロック解除操作を実行してロック解除状態通知メッセージをウェアラブルＢｌｕｅｔｏｏｔｈ（登録商標）デバイスへ送信すると判定する。ロック解除状態通知メッセージは、モバイル端末に対応する現在状態がロック解除状態（ｕｎｌｏｃｋ）であることを通知するために使用される。ウェアラブルＢｌｕｅｔｏｏｔｈ（登録商標）デバイスは、ロック解除状態通知メッセージを受信した後で、モバイル端末に対応する現在状態をロック解除状態（ｕｎｌｏｃｋ）として記録する。モバイル端末は、相関係数がプリセット方針を満たさないとき、ロック解除操作を実行しないと判定する。
【００９９】
モバイル端末が第１タイミングシーケンス（Ｘシーケンス）と第２タイミングシーケンス（Ｙシーケンス）との間の相関係数を算出するとき、その計算式は、
【数１】
0006699912.tif 000002
を含み得るが、これに限定されない。
【０１００】
上述の観点において、ウェアラブルＢｌｕｅｔｏｏｔｈ（登録商標）デバイスが、加速度センサまたは角速度センサの計測値、ならびに、特定の閾値ａを使用することによって、許可済みロック解除行為が発生するかどうかを判定するとき、ユーザが異なれば行為の習慣も異なるので、広く適用可能な特定の閾値ａをトレーニングによって正確に取得することは困難であり得る。したがって、開示される実施形態に係る上述の技術的解決法では、ユーザがウェアラブルＢｌｕｅｔｏｏｔｈ（登録商標）デバイスを使用することによってモバイル端末をロック解除するとき、期間内における、ウェアラブルＢｌｕｅｔｏｏｔｈ（登録商標）デバイスおよびモバイル端末の運動軌跡および運動形態は相関するであろうとみなす。したがって、モバイル端末はさらに、第１タイミングシーケンス（Ｘシーケンス）と第２タイミングシーケンス（Ｙシーケンス）との間の相関係数を算出することによって、モバイル端末上でのロック解除操作を正確に確認し得る。
【０１０１】
５．モバイル端末は、ウェアラブルＢｌｕｅｔｏｏｔｈ（登録商標）デバイスの強制状態変更に基づいて、ロック解除操作を実行する。
【０１０２】
ユーザがウェアラブルＢｌｕｅｔｏｏｔｈ（登録商標）デバイスを使用することによってモバイル端末をロック解除するとき、運動の幅が小さすぎるため、許可行為は、ウェアラブルＢｌｕｅｔｏｏｔｈ（登録商標）デバイスによって検出されないことがあり得る。この場合、モバイル端末上のロック解除操作が、ロック状態からロック解除状態への、ウェアラブルＢｌｕｅｔｏｏｔｈ（登録商標）デバイスの強制変更許可検出機能を使用することによって実行され得る。
【０１０３】
段階１：モバイル端末は、ウェアラブルＢｌｕｅｔｏｏｔｈ（登録商標）デバイスとの接続を確立する。モバイル端末がウェアラブルＢｌｕｅｔｏｏｔｈ（登録商標）デバイスとの接続を確立する前に、モバイル端末はすでに、ウェアラブルＢｌｕｅｔｏｏｔｈ（登録商標）デバイスとのペアリングに成功していて、ウェアラブルＢｌｕｅｔｏｏｔｈ（登録商標）デバイスの一意の識別子（ＭＡＣアドレスなど）をロック解除識別子として記憶している。
【０１０４】
段階２：モバイル端末は、ロック状態通知メッセージをウェアラブルＢｌｕｅｔｏｏｔｈ（登録商標）デバイスへ送信する。ロック状態通知メッセージは、モバイル端末に対応する現在状態がロック状態（ｌｏｃｋ）であることを通知するために使用される。ウェアラブルＢｌｕｅｔｏｏｔｈ（登録商標）デバイスは、ロック状態通知情報を受信した後で、モバイル端末に対応する現在状態をロック状態として記録する。
【０１０５】
段階３：ウェアラブルＢｌｕｅｔｏｏｔｈ（登録商標）デバイスは、モバイル端末に対応する処理識別子（ユーザの許可行為に基づいて設定される処理識別子）を照会する。処理識別子（ｌｏｃｋ＿ｆｌａｇ）は、ロック識別子またはロック解除識別子である。
【０１０６】
段階４：モバイル端末に対応する処理識別子がロック識別子である場合、ウェアラブルＢｌｕｅｔｏｏｔｈ（登録商標）デバイスは、現在状態維持メッセージをモバイル端末へ送信する。現在状態維持メッセージは、現在状態を維持するようにモバイル端末に通知するために使用される。モバイル端末は、現在状態維持メッセージを受信し、次に、ロック状態を維持する。
【０１０７】
段階５：ウェアラブルＢｌｕｅｔｏｏｔｈ（登録商標）デバイスがユーザの自発的な状態変更行為を検出した場合、ウェアラブルＢｌｕｅｔｏｏｔｈ（登録商標）デバイスは、ロック解除メッセージをモバイル端末へ送信する。ロック解除メッセージは、ロック解除操作を実行するようにモバイル端末に通知するために使用される。モバイル端末は、ロック解除メッセージをウェアラブルＢｌｕｅｔｏｏｔｈ（登録商標）デバイスから受信し、次に、ロック解除操作を実行する。ウェアラブルＢｌｕｅｔｏｏｔｈ（登録商標）デバイスがユーザの自発的な状態変更行為を検出するプロセスは、ウェアラブルＢｌｕｅｔｏｏｔｈ（登録商標）デバイスの加速度センサまたは角速度センサの計測値が特定の閾値ｂより大きいことをウェアラブルＢｌｕｅｔｏｏｔｈ（登録商標）デバイスが検出した場合、ユーザの自発的な状態変更行為が現在時間に検出されたと判定することを有する。特定の閾値ｂは、特定の閾値ａよりずっと大きく、それにより、ロック状態とロック解除状態との間のトグリングが回避される。
【０１０８】
段階６：モバイル端末はさらに、モバイル端末がロック解除操作を実行した後で、ロック解除状態通知メッセージをウェアラブルＢｌｕｅｔｏｏｔｈ（登録商標）デバイスへ送信し得る。ロック解除状態通知メッセージは、モバイル端末に対応する現在状態がロック解除状態（ｕｎｌｏｃｋ）であることを通知するために使用される。さらに、ウェアラブルＢｌｕｅｔｏｏｔｈ（登録商標）デバイスは、ロック解除通知情報を受信した後で、モバイル端末に対応する現在状態をロック解除状態（ｕｎｌｏｃｋ）として記録する。
【０１０９】
６．モバイル端末が、ウェアラブルＢｌｕｅｔｏｏｔｈ（登録商標）デバイスの強制状態変更に基づいて、ロック操作を実行する。
【０１１０】
非所有者がモバイル端末のロック解除を試みるとき、ウェアラブルＢｌｕｅｔｏｏｔｈ（登録商標）デバイスの動きに起因して、モバイル端末の所有者がアクティビティを許可していない状況において、非所有者は、モバイル端末上のロック解除操作を実行し得る。この場合、モバイル端末上の強制ロック操作が、ウェアラブルＢｌｕｅｔｏｏｔｈ（登録商標）デバイスの強制変更許可検出機能を使用することによって実行され得て、それにより、状態はロック解除状態からロック状態へ変更される。さらに、ロック解除状態からロック状態への強制変更は、Ｂｌｕｅｔｏｏｔｈ（登録商標）接続がモバイル端末とウェアラブルＢｌｕｅｔｏｏｔｈ（登録商標）デバイスとの間に確立された後の任意の瞬間において、強制状態変更行為の検出によって実行され得る。
【０１１１】
段階１：モバイル端末がウェアラブルＢｌｕｅｔｏｏｔｈ（登録商標）デバイスとの接続を確立する。モバイル端末がウェアラブルＢｌｕｅｔｏｏｔｈ（登録商標）デバイスとの接続を確立する前に、モバイル端末はすでに、ウェアラブルＢｌｕｅｔｏｏｔｈ（登録商標）デバイスとのペアリングに成功していて、ウェアラブルＢｌｕｅｔｏｏｔｈ（登録商標）デバイスの一意の識別子（ＭＡＣアドレスなど）をロック解除識別子として記憶している。
【０１１２】
段階２：ウェアラブルＢｌｕｅｔｏｏｔｈ（登録商標）デバイスがユーザの自発的な状態変更行為を検出する。ウェアラブルＢｌｕｅｔｏｏｔｈ（登録商標）デバイスがユーザの自発的な状態変更行為を検出するプロセスは、ウェアラブルＢｌｕｅｔｏｏｔｈ（登録商標）デバイスの加速度センサまたは角速度センサの計測値が特定の閾値ｂより大きいことをウェアラブルＢｌｕｅｔｏｏｔｈ（登録商標）デバイスが検出した場合、ユーザの自発的な状態変更行為が現在時間に検出されたと判定することを有する。特定の閾値ｂは、特定の閾値ａよりずっと大きく、それにより、ロック状態とロック解除状態との間のトグリングが回避される。
【０１１３】
段階３：ウェアラブルＢｌｕｅｔｏｏｔｈ（登録商標）デバイスが現在時間におけるモバイル端末の現在状態を照会する。さらに、モバイル端末の現在状態がロック解除状態（ｕｎｌｏｃｋ）である場合、ウェアラブルＢｌｕｅｔｏｏｔｈ（登録商標）デバイスは、ロックメッセージをモバイル端末へ送信でき、ロックメッセージは、ロック操作を実行するようにモバイル端末に通知するために使用される。モバイル端末の現在状態がロック状態（ｌｏｃｋ）である場合、ウェアラブルＢｌｕｅｔｏｏｔｈ（登録商標）デバイスは、ロック解除メッセージをモバイル端末へ送信でき、ロック解除メッセージは、ロック解除操作を実行するようにモバイル端末に通知するために使用される。
【０１１４】
段階４：モバイル端末は、ロックメッセージをウェアラブルＢｌｕｅｔｏｏｔｈ（登録商標）デバイスから受信し、次にロック操作を実行する。モバイル端末は、ロック解除メッセージをウェアラブルＢｌｕｅｔｏｏｔｈ（登録商標）デバイスから受信し、次に、ロック解除操作を実行する。
【０１１５】
段階５：モバイル端末がロック操作を実行した後で、モバイル端末は、ロック状態通知メッセージをウェアラブルＢｌｕｅｔｏｏｔｈ（登録商標）デバイスへ送信する。ロック状態通知メッセージは、モバイル端末に対応する現在状態がロック状態（ｌｏｃｋ）であることを通知するために使用される。ウェアラブルＢｌｕｅｔｏｏｔｈ（登録商標）デバイスは、ロック状態通知情報を受信した後で、モバイル端末に対応する現在状態をロック状態（ロック）として記録する。モバイル端末がロック解除操作を実行した後で、モバイル端末は、ロック解除状態通知メッセージをウェアラブルＢｌｕｅｔｏｏｔｈ（登録商標）デバイスへ送信する。ロック解除状態通知メッセージは、モバイル端末に対応する現在状態がロック解除状態（ｕｎｌｏｃｋ）であることを通知するために使用される。ウェアラブルＢｌｕｅｔｏｏｔｈ（登録商標）デバイスは、ロック解除通知情報を受信した後で、モバイル端末に対応する現在状態をロック解除状態（ｕｎｌｏｃｋ）として記録する。
【０１１６】
［実施形態３］
本開示はさらに、上述の方法における出願の思想と同一の出願の思想に基づくウェアラブルＢｌｕｅｔｏｏｔｈ（登録商標）デバイスを提供する。図３に示されるように、ウェアラブルＢｌｕｅｔｏｏｔｈ（登録商標）デバイスは、以下のモジュールを備える。
【０１１７】
判定モジュール１１は、モバイル端末との間の接続が確立された後で、ロック状態またはロック解除状態を含む、モバイル端末に対応する現在状態を判定するように構成される。
【０１１８】
設定モジュール１２は、ユーザの許可行為を検出するように、および、ユーザの許可行為を使用することにより、ロック識別子またはロック解除識別子である、モバイル端末に対応する処理識別子を設定するように構成される。
【０１１９】
送信モジュール１３は、処理識別子がロック解除識別子であり、かつ、現在状態がロック状態である場合、ロック解除メッセージをモバイル端末へ送信するように構成され、モバイル端末はロック解除操作を実行する。
【０１２０】
設定モジュール１２は、ウェアラブルＢｌｕｅｔｏｏｔｈ（登録商標）デバイスの加速度センサの計測値がプリセット第１閾値より大きいことが検出されたとき、ユーザの許可行為を許可済みロック解除行為として識別し、モバイル端末に対応する処理識別子をロック解除識別子に設定するように構成される。代替的に、または、上述と併せて、設定モジュール１２は、ウェアラブルＢｌｕｅｔｏｏｔｈ（登録商標）デバイスの角速度センサの計測値がプリセット第２閾値より大きいことが検出されたとき、ユーザの許可行為を許可済みロック解除行為として識別し、モバイル端末に対応する処理識別子をロック解除識別子に設定するように構成される。
【０１２１】
設定モジュール１２はさらに、モバイル端末に対応する処理識別子がロック解除識別子に設定された後で、モバイル端末についてのエージングタイマを始動し、エージングタイマが満了した後で、モバイル端末に対応する処理識別子をロック識別子に設定するように構成される。
【０１２２】
設定モジュール１２はさらに、加速度センサの計測値がプリセット第１閾値より大きいことを検出するプロセスにおいて、加速度センサの計測値を使用することによって、ＡＣＣｘ２、ＡＣＣｙ２、およびＡＣＣｚ２を取得し、ＡＣＣｘ２＋ＡＣＣｙ２＋ＡＣＣｚ２がプリセット第１閾値より大きいとき、ウェアラブルＢｌｕｅｔｏｏｔｈ（登録商標）デバイスの加速度センサの計測値がプリセット第１閾値より大きいと検出するように構成され、ＡＣＣｘ２は、Ｘ軸方向における、加速度センサの加速度の大きさの二乗であり、ＡＣＣｙ２は、Ｙ軸方向における、加速度センサの加速度の大きさの二乗であり、ＡＣＣｚ２は、Ｚ軸方向における、加速度センサの加速度の大きさの二乗である。
【０１２３】
判定モジュール１１は、モバイル端末との接続を確立し、接続が確立された後で、ロック状態通知メッセージをモバイル端末から受信し、ロック状態通知メッセージに基づいて、モバイル端末に対応する現在状態をロック状態として判定し、モバイル端末がロック解除操作を実行した後で、ロック解除状態通知メッセージをモバイル端末から受信し、ロック解除状態通知メッセージに基づいて、モバイル端末に対応する現在状態をロック解除状態として判定するように構成される。
【０１２４】
送信モジュール１３は、モバイル端末に対応する処理識別子がロック解除識別子に設定された後で、ウェアラブルＢｌｕｅｔｏｏｔｈ（登録商標）デバイスの加速度センサの計測値に対応する第１タイミング情報および第１開始タイムスタンプ情報を記録し、ロック解除メッセージをモバイル端末へ送信し、第１タイミング情報および第１開始タイムスタンプ情報を含む変更確認要求メッセージをモバイル端末へ送信するように構成され、モバイル端末は、第１タイミング情報および第１開始タイムスタンプ情報に基づいてロック解除操作を実行すべきかどうかを判定し、判定の結果が、実行すべきである場合、モバイル端末は、ロック解除操作を実行する。
【０１２５】
送信モジュール１３はさらに、処理識別子がロック識別子であり、かつ、現在状態がロック状態である場合、現在状態維持メッセージをモバイル端末へ送信するように構成され、モバイル端末はロック状態を維持する。
【０１２６】
送信モジュール１３はさらに、処理識別子がロック識別子であり、かつ、現在状態がロック状態である状況において、送信モジュールがユーザの自発的な状態変更行為を検出した場合、ロック解除メッセージをモバイル端末へ送信するように構成され、モバイル端末は、ロック解除操作を実行する。
【０１２７】
送信モジュール１３はさらに、処理識別子がロック解除識別子またはロック識別子であり、かつ、現在状態がロック解除状態である状況において、送信モジュールがユーザの自発的な状態変更行為を検出した場合、ロックメッセージをモバイル端末へ送信するように構成され、モバイル端末はロック操作を実行する。
【０１２８】
送信モジュール１３はさらに、ユーザの自発的な状態変更行為が検出されたときにウェアラブルＢｌｕｅｔｏｏｔｈ（登録商標）デバイスの加速度センサの計測値がプリセット第３閾値より大きいことが検出されたとき、ユーザの自発的な状態変更行為が現在時間に検出されたと判定する、または、ウェアラブルＢｌｕｅｔｏｏｔｈ（登録商標）デバイスの角速度センサの計測値がプリセット第４閾値より大きいことが検出されたとき、ユーザの自発的な状態変更行為が現在時間に検出されたと判定するように構成される。
【０１２９】
開示される装置内のモジュールは、一体に統合され得るか、または、別々に配置され得る。上述のモジュールは、１つのモジュールに組み合わされ得るか、または複数のサブモジュールにさらに分割され得る。
【０１３０】
［実施形態４］
本開示はさらに、上述の方法における出願の思想と同一である出願の思想に基づくモバイル端末を提供する。図４において示されるように、モバイル端末は、以下のモジュールを備える。
【０１３１】
受信モジュール２１は、ロック解除メッセージをウェアラブルＢｌｕｅｔｏｏｔｈ（登録商標）デバイスから受信するように構成され、当該ロック解除メッセージは、ウェアラブルＢｌｕｅｔｏｏｔｈ（登録商標）デバイスがモバイル端末に対応する現在状態をロック状態として判定し、ユーザの許可行為を使用して、モバイル端末に対応する処理識別子をロック解除識別子に設定するときに送信され、処理識別子はロック識別子またはロック解除識別子であり、現在状態はロック状態またはロック解除状態である。処理モジュール２２は、ロック解除メッセージに基づいてロック解除操作を実行するように構成される。
【０１３２】
モバイル端末は、送信モジュール２３をさらに備える。これは、ウェアラブルＢｌｕｅｔｏｏｔｈ（登録商標）デバイスとの接続を確立し、接続が確立された後で、ロック状態通知メッセージをウェアラブルＢｌｕｅｔｏｏｔｈ（登録商標）デバイスへ送信することであって、ウェアラブルＢｌｕｅｔｏｏｔｈ（登録商標）デバイスは、ロック状態通知メッセージに基づいて、モバイル端末に対応する現在状態をロック状態として判定する、ことと、処理モジュールがロック解除メッセージに基づいてロック解除操作を実行した後で、ロック解除状態通知メッセージをウェアラブルＢｌｕｅｔｏｏｔｈ（登録商標）デバイスへ送信することであって、ウェアラブルＢｌｕｅｔｏｏｔｈ（登録商標）デバイスは、ロック解除状態通知メッセージに基づいて、モバイル端末に対応する現在状態をロック解除状態として判定する、こととを行うように構成される。
【０１３３】
受信モジュール２１は、ロック解除メッセージをウェアラブルＢｌｕｅｔｏｏｔｈ（登録商標）デバイスから受信し、第１タイミング情報および第１開始タイムスタンプ情報を含む変更確認要求メッセージをウェアラブルＢｌｕｅｔｏｏｔｈ（登録商標）デバイスから受信するように構成され、第１タイミング情報および第１開始タイムスタンプ情報は、モバイル端末に対応する処理識別子がロック解除識別子に設定された後でウェアラブルＢｌｕｅｔｏｏｔｈ（登録商標）デバイスによって記録される、ウェアラブルＢｌｕｅｔｏｏｔｈ（登録商標）デバイスの加速度センサの計測値に対応する第１タイミング情報および第１開始タイムスタンプ情報であり、処理モジュール２２は、モバイル端末に対応する現在状態がロック状態として判定された後で、モバイル端末の加速度センサの計測値に対応する第２タイミング情報および第２開始タイムスタンプ情報を記録し、第１タイミング情報、第１開始タイムスタンプ情報、第２タイミング情報、および第２開始タイムスタンプ情報に基づいて、ロック解除操作を実行すべきかどうか判断し、判定の結果が、実行すべきである場合、ロック解除メッセージに基づいてロック解除操作を実行するように構成される。
【０１３４】
第１タイミング情報は、ウェアラブルＢｌｕｅｔｏｏｔｈ（登録商標）デバイスの加速度センサの計測値の、Ｘ軸方向における加速度の大きさの二乗と、Ｙ軸方向における加速度の大きさの二乗と、Ｚ軸方向における加速度の大きさの二乗との和の第１タイミングシーケンス（ｉｎｔ‐Ｘ１、ｉｎｔ‐Ｘ２、...、ｉｎｔＸｎ）である。第２タイミング情報は、モバイル端末の加速度センサの計測値の、Ｘ軸方向における加速度の大きさの二乗と、Ｙ軸方向における加速度の大きさの二乗と、Ｚ軸方向における加速度の大きさの二乗との和の第２タイミングシーケンス（ｉｎｔ‐Ｙ１、ｉｎｔ‐Ｙ２、...、ｉｎｔＹｍ）である。
【０１３５】
処理モジュール２２はさらに、第１タイミング情報、第１開始タイムスタンプ情報、第２タイミング情報、および第２開始タイムスタンプ情報に基づいて、ロック解除操作を実行するかどうかを判定するプロセスにおいて、第１開始タイムスタンプ情報および第２開始タイムスタンプ情報を使用することによって、第１タイミングシーケンスおよび第２タイミングシーケンスを揃え、第１タイミングシーケンスと第２タイミングシーケンスとの間の相関係数を算出し、ならびに、相関係数がプリセット方針を満たすときにロック解除操作を実行すると判定し、そうでないときは、ロック解除操作をキャンセルすると判定するように構成される。
【０１３６】
受信モジュール２１はさらに、現在状態維持メッセージをウェアラブルＢｌｕｅｔｏｏｔｈ（登録商標）デバイスから受信するように構成され、現在状態維持メッセージは、モバイル端末に対応する処理識別子がロック識別子であり、かつ、モバイル端末に対応する現在状態がロック状態である場合にウェアラブルＢｌｕｅｔｏｏｔｈ（登録商標）デバイスによって送信される。
【０１３７】
処理モジュール２２はさらに、現在状態維持メッセージに基づいて、ロック状態を維持するように構成される。
【０１３８】
受信モジュール２１はさらに、ロック解除メッセージをウェアラブルＢｌｕｅｔｏｏｔｈ（登録商標）デバイスから受信するように構成され、ロック解除メッセージは、モバイル端末に対応する処理識別子がロック識別子であり、かつ、現在状態がロック状態であり、かつ、ユーザの自発的な状態変更行為が検出されたとき、ウェアラブルＢｌｕｅｔｏｏｔｈ（登録商標）デバイスによって送信される。
【０１３９】
処理モジュール２２はさらに、ロック解除メッセージに基づいてロック解除操作を実行するように構成される。
【０１４０】
受信モジュール２１はさらに、ロックメッセージをウェアラブルＢｌｕｅｔｏｏｔｈ（登録商標）デバイスから受信するように構成され、ロックメッセージは、モバイル端末に対応する処理識別子がロック解除識別子またはロック識別子であり、かつ、現在状態がロック解除状態であり、かつ、ユーザの自発的な状態変更行為が検出されたときにウェアラブルＢｌｕｅｔｏｏｔｈ（登録商標）デバイスによって送信され、処理モジュール２２はさらに、ロックメッセージに基づいてロック操作を実行するように構成される。
【０１４１】
開示される装置内のモジュールは、一体に統合され得るか、または、別々に配置され得る。上述のモジュールは、１つのモジュールに組み合わされ得るか、または複数のサブモジュールにさらに分割され得る。
【０１４２】
当業者であれば、実施形態の上述の説明を用いて、開示される実施形態がソフトウェアおよび必要な汎用ハードウェアプラットフォームによって実行され得て、ハードウェアによっても確かに実行され得ることを明確に理解し得る。しかしながら、ほとんどの場合において、好ましい実現形態は前者である。そのような理解に基づいて、本開示の技術的解決法の本質、または、先行技術に寄与する部分は、ソフトウェア製品の形態で具現化され得る。コンピュータソフトウェア製品は、記憶媒体内に記憶され、（パーソナルコンピュータ、サーバ、ネットワークデバイス、または同様のものであり得る）コンピュータデバイスに、開示される実施形態において説明される方法を実行するように命令するための複数の命令を含む。当業者であれば、添付図面は単に、好ましい実施形態の模式図に過ぎず、添付図面におけるモジュールまたはプロセスは、開示される実施形態を実現する上で必ずしも必要ではないことを理解し得る。当業者であれば、一実施形態における装置内のモジュールが、実施形態の説明に従って実施形態の装置において分散され得、または本実施形態とは異なる１または複数の装置に配置されるようその分だけ変更され得ることを理解し得る。上述の実施形態におけるモジュールは、１つのモジュールに組み合わされ得るか、または複数のサブモジュールにさらに分割され得る。開示される実施形態の上述の連番は、単に説明のための便宜的なものであり、実施形態の中の好ましいものを示唆するものではない。上述の開示は、開示される複数の具体的な実施形態に過ぎない。しかしながら、本開示は、これらの実施形態に限定されるべきでなく、当業者によって想定され得るそれらの変形形態はいずれも、本開示の範囲内に含まれるべきである。
（項目１）
ウェアラブルＢｌｕｅｔｏｏｔｈ（登録商標）デバイスによってモバイル端末との接続が確立された後で、上記ウェアラブルＢｌｕｅｔｏｏｔｈ（登録商標）デバイスが、ロック状態またはロック解除状態のうちの１つである、上記モバイル端末に対応する現在状態を判定する段階と、上記ウェアラブルＢｌｕｅｔｏｏｔｈ（登録商標）デバイスが、ユーザの許可行為を検出し、上記ユーザの許可行為を用いて、ロック識別子またはロック解除識別子のうちの１つである、上記モバイル端末に対応する処理識別子を設定する段階と、上記処理識別子が上記ロック解除識別子であり、かつ、上記現在状態が上記ロック状態である場合、上記ウェアラブルＢｌｕｅｔｏｏｔｈ（登録商標）デバイスが、上記モバイル端末にロック解除操作を実行させるようにするべく、ロック解除メッセージを上記モバイル端末へ送信する、段階とを備えるモバイル端末ロック解除のための方法。
（項目２）
上記ウェアラブルＢｌｕｅｔｏｏｔｈ（登録商標）デバイスが、ユーザの許可行為を検出し、上記ユーザの許可行為を用いて、上記モバイル端末に対応する処理識別子を設定する段階は、上記ウェアラブルＢｌｕｅｔｏｏｔｈ（登録商標）デバイスの加速度センサの計測値がプリセット第１閾値より大きいことを上記ウェアラブルＢｌｕｅｔｏｏｔｈ（登録商標）デバイスが検出した場合、上記ユーザの許可行為を許可済みロック解除行為として判定し、上記モバイル端末に対応する上記処理識別子を上記ロック解除識別子に設定する段階、または、上記ウェアラブルＢｌｕｅｔｏｏｔｈ（登録商標）デバイスの角速度センサの計測値がプリセット第２閾値より大きいことを上記ウェアラブルＢｌｕｅｔｏｏｔｈ（登録商標）デバイスが検出した場合、上記ユーザの許可行為を許可済みロック解除行為として判定し、上記モバイル端末に対応する上記処理識別子を上記ロック解除識別子に設定する段階を備える、項目１に記載の方法。
（項目３）
上記ウェアラブルＢｌｕｅｔｏｏｔｈ（登録商標）デバイスが、上記モバイル端末に対応する上記処理識別子を上記ロック解除識別子に設定した後で、上記ウェアラブルＢｌｕｅｔｏｏｔｈ（登録商標）デバイスが、上記モバイル端末についてのエージングタイマを始動する段階と、上記エージングタイマが満了した後で、上記ウェアラブルＢｌｕｅｔｏｏｔｈ（登録商標）デバイスが、上記モバイル端末に対応する上記処理識別子を上記ロック識別子に設定する段階とをさらに備える、項目２に記載の方法。
（項目４）
上記ウェアラブルＢｌｕｅｔｏｏｔｈ（登録商標）デバイスの加速度センサの計測値がプリセット第１閾値より大きいことを上記ウェアラブルＢｌｕｅｔｏｏｔｈ（登録商標）デバイスが検出する段階は、上記ウェアラブルＢｌｕｅｔｏｏｔｈ（登録商標）デバイスが、上記加速度センサの上記計測値を使用することによって、ＡＣＣｘ２、ＡＣＣｙ２、およびＡＣＣｚ２を取得する段階と、ＡＣＣｘ２＋ＡＣＣｙ２＋ＡＣＣｚ２が上記プリセット第１閾値より大きいとき、上記ウェアラブルＢｌｕｅｔｏｏｔｈ（登録商標）デバイスの上記加速度センサの上記計測値が上記プリセット第１閾値より大きいことを検出する段階であって、ＡＣＣｘ２は、Ｘ軸方向における、上記加速度センサの加速度の大きさの二乗であり、ＡＣＣｙ２は、Ｙ軸方向における、上記加速度センサの加速度の大きさの二乗であり、ＡＣＣｚ２は、Ｚ軸方向における、上記加速度センサの加速度の大きさの二乗である、段階とを有する、項目２に記載の方法。
（項目５）
上記モバイル端末との接続が確立された後で、ウェアラブルＢｌｕｅｔｏｏｔｈ（登録商標）デバイスが、モバイル端末に対応する現在状態を判定する段階は、上記ウェアラブルＢｌｕｅｔｏｏｔｈ（登録商標）デバイスが、上記モバイル端末との接続を確立する段階と、上記接続が確立された後で、ロック状態通知メッセージを上記モバイル端末から受信する段階と、上記ロック状態通知メッセージに基づいて、上記モバイル端末に対応する上記現在状態を上記ロック状態として識別する段階と、上記モバイル端末が上記ロック解除操作を実行した後で、上記ウェアラブルＢｌｕｅｔｏｏｔｈ（登録商標）デバイスが、ロック解除状態通知メッセージを上記モバイル端末から受信する段階と、上記ロック解除状態通知メッセージに基づいて、上記モバイル端末に対応する上記現在状態を上記ロック解除状態として識別する段階とを有する、項目１に記載の方法。
（項目６）
上記ウェアラブルＢｌｕｅｔｏｏｔｈ（登録商標）デバイスが、上記モバイル端末にロック解除操作を実行させるべく、ロック解除メッセージを上記モバイル端末へ送信する段階は、上記ウェアラブルＢｌｕｅｔｏｏｔｈ（登録商標）デバイスが上記モバイル端末に対応する上記処理識別子を上記ロック解除識別子に設定した後で、上記ウェアラブルＢｌｕｅｔｏｏｔｈ（登録商標）デバイスの上記加速度センサの上記計測値に対応する第１タイミング情報および第１開始タイムスタンプ情報を記録する段階と、上記ロック解除メッセージを上記モバイル端末へ送信する段階と、上記モバイル端末に、上記第１タイミング情報および上記第１開始タイムスタンプ情報に基づいて上記ロック解除操作を実行すべきかどうかを判定させ、上記判定の結果が、実行すべきである場合、上記ロック解除操作を実行させるべく、上記第１タイミング情報および上記第１開始タイムスタンプ情報を含む、変更確認要求メッセージを上記モバイル端末へ送信する段階とを有する、項目２に記載の方法。
（項目７）
上記処理識別子がロック識別子であり、かつ、上記現在状態がロック状態である場合、上記ウェアラブルＢｌｕｅｔｏｏｔｈ（登録商標）デバイスは、上記モバイル端末に、上記ロック状態を維持させるべく、現在状態維持メッセージを上記モバイル端末へ送信し、段階をさらに備える、項目１に記載の方法。
（項目８）
上記処理識別子が上記ロック識別子であり、かつ、上記現在状態が上記ロック状態である状況において、上記ウェアラブルＢｌｕｅｔｏｏｔｈ（登録商標）デバイスがユーザの自発的な状態変更行為を検出した場合、上記ウェアラブルＢｌｕｅｔｏｏｔｈ（登録商標）デバイスが、上記モバイル端末に上記ロック解除操作を実行させるべく、ロック解除メッセージを上記モバイル端末へ送信する段階をさらに備える、項目１に記載の方法。
（項目９）
上記処理識別子が上記ロック解除識別子または上記ロック識別子であり、かつ、上記現在状態が上記ロック解除状態である状況において、上記ウェアラブルＢｌｕｅｔｏｏｔｈ（登録商標）デバイスがユーザの自発的な状態変更行為を検出した場合、上記ウェアラブルＢｌｕｅｔｏｏｔｈ（登録商標）デバイスが、上記モバイル端末にロック操作を実行させるべく、ロックメッセージを上記モバイル端末へ送信する段階をさらに備える、項目１に記載の方法。
（項目１０）
上記ウェアラブルＢｌｕｅｔｏｏｔｈ（登録商標）デバイスがユーザの自発的な状態変更行為を検出する段階は、  上記ウェアラブルＢｌｕｅｔｏｏｔｈ（登録商標）デバイスの上記加速度センサの上記計測値がプリセット第３閾値より大きいことを上記ウェアラブルＢｌｕｅｔｏｏｔｈ（登録商標）デバイスが検出した場合、ユーザの自発的な状態変更行為が現在時間に検出されたと判定する段階、または、上記ウェアラブルＢｌｕｅｔｏｏｔｈ（登録商標）デバイスの上記角速度センサの上記計測値がプリセット第４閾値より大きいことを上記ウェアラブルＢｌｕｅｔｏｏｔｈ（登録商標）デバイスが検出した場合、ユーザの自発的な状態変更行為が現在時間に検出されたと判定する段階を有する、項目８または９に記載の方法。
（項目１１）
モバイル端末が、ロック解除メッセージをウェアラブルＢｌｕｅｔｏｏｔｈ（登録商標）デバイスから受信する段階であって、上記ウェアラブルＢｌｕｅｔｏｏｔｈ（登録商標）デバイスが、上記モバイル端末に対応する現在状態をロック状態として判定し、ユーザの許可行為を用いて、上記モバイル端末に対応する処理識別子をロック解除識別子に設定するとき、上記ロック解除メッセージが送信され、上記処理識別子はロック識別子またはロック解除識別子であり、上記現在状態はロック状態またはロック解除状態である、段階と、上記モバイル端末が、上記ロック解除メッセージに基づいてロック解除操作を実行する段階とを備えるモバイル端末ロック解除のための方法。
（項目１２）
上記モバイル端末が上記ウェアラブルＢｌｕｅｔｏｏｔｈ（登録商標）デバイスとの接続を確立する段階と、上記接続が確立された後で、ロック状態通知メッセージを上記ウェアラブルＢｌｕｅｔｏｏｔｈ（登録商標）デバイスへ送信する段階であって、上記ウェアラブルＢｌｕｅｔｏｏｔｈ（登録商標）デバイスは、上記ロック状態通知メッセージに基づいて、上記モバイル端末に対応する現在状態を上記ロック状態として判定する、段階と、上記モバイル端末が上記ロック解除メッセージに基づいてロック解除操作を実行した後で、上記モバイル端末が、ロック解除状態通知メッセージを上記ウェアラブルＢｌｕｅｔｏｏｔｈ（登録商標）デバイスへ送信する段階であって、上記ウェアラブルＢｌｕｅｔｏｏｔｈ（登録商標）デバイスは、上記ロック解除状態通知メッセージに基づいて、上記モバイル端末に対応する上記現在状態を上記ロック解除状態として判定する、段階とをさらに備える、項目１１に記載の方法。
（項目１３）
モバイル端末がロック解除メッセージをウェアラブルＢｌｕｅｔｏｏｔｈ（登録商標）デバイスから受信し、上記ロック解除メッセージに基づいてロック解除操作を実行する段階は、上記モバイル端末が上記ロック解除メッセージを上記ウェアラブルＢｌｕｅｔｏｏｔｈ（登録商標）デバイスから受信し、第１タイミング情報および第１開始タイムスタンプ情報を含む変更確認要求メッセージを上記ウェアラブルＢｌｕｅｔｏｏｔｈ（登録商標）デバイスから受信する段階であって、上記第１タイミング情報および上記第１開始タイムスタンプ情報は、上記モバイル端末に対応する上記処理識別子が上記ウェアラブルＢｌｕｅｔｏｏｔｈ（登録商標）デバイスによって上記ロック解除識別子に設定された後で、上記ウェアラブルＢｌｕｅｔｏｏｔｈ（登録商標）デバイスによって記録される、上記ウェアラブルＢｌｕｅｔｏｏｔｈ（登録商標）デバイスの加速度センサの計測値に対応する第１タイミング情報および第１開始タイムスタンプ情報である、段階と、上記モバイル端末に対応する上記現在状態が上記ロック状態として判定された後で、上記モバイル端末が、上記モバイル端末の加速度センサの計測値に対応する第２タイミング情報および第２開始タイムスタンプ情報を記録する段階と、上記モバイル端末が、上記第１タイミング情報、上記第１開始タイムスタンプ情報、上記第２タイミング情報、および上記第２開始タイムスタンプ情報に基づいて、上記ロック解除操作を実行すべきかどうかを判定する段階と、上記判定の結果が、実行すべきである場合、上記モバイル端末が、上記ロック解除メッセージに基づいて上記ロック解除操作を実行する段階と、を有する、項目１１に記載の方法。
（項目１４）
上記第１タイミング情報は、上記ウェアラブルＢｌｕｅｔｏｏｔｈ（登録商標）デバイスの上記加速度センサの上記計測値の、Ｘ軸方向における加速度の大きさの二乗と、Ｙ軸方向における加速度の大きさの二乗と、Ｚ軸方向における加速度の大きさの二乗との和の第１タイミングシーケンス（ｉｎｔ‐Ｘ１、ｉｎｔ‐Ｘ２、...、ｉｎｔＸｎ）であり、上記第２タイミング情報は、上記モバイル端末の上記加速度センサの上記計測値の、上記Ｘ軸方向における加速度の大きさの二乗と、上記Ｙ軸方向における加速度の大きさの二乗と、上記Ｚ軸方向における加速度の大きさの二乗との和の第２タイミングシーケンス（ｉｎｔ‐Ｙ１、ｉｎｔ‐Ｙ２、...、ｉｎｔＹｍ）であり、上記モバイル端末が、上記第１タイミング情報、上記第１開始タイムスタンプ情報、上記第２タイミング情報、および上記第２開始タイムスタンプ情報に基づいて、上記ロック解除操作を実行するかどうかを判定する段階は、上記モバイル端末が、上記第１開始タイムスタンプ情報および上記第２開始タイムスタンプ情報を使用することによって、上記第１タイミングシーケンスおよび上記第２タイミングシーケンスを揃える段階と、上記モバイル端末が、上記第１タイミングシーケンスと上記第２タイミングシーケンスとの間の相関係数を算出する段階と、上記モバイル端末が、上記相関係数がプリセット方針を満たすときに上記ロック解除操作を実行すると判定する、または、上記モバイル端末が、上記ロック解除操作を実行しないと判定する段階とを含む、項目１３に記載の方法。
（項目１５）
上記モバイル端末が、現在状態維持メッセージを上記ウェアラブルＢｌｕｅｔｏｏｔｈ（登録商標）デバイスから受信する段階であって、上記モバイル端末に対応する上記処理識別子が上記ロック識別子であり、かつ、上記モバイル端末に対応する上記現在状態が上記ロック状態である場合、上記現在状態維持メッセージは、上記ウェアラブルＢｌｕｅｔｏｏｔｈ（登録商標）デバイスによって送信される、段階と、上記モバイル端末が、上記現在状態維持メッセージに基づいて上記ロック状態を維持する段階とをさらに備える、項目１１に記載の方法。
（項目１６）
上記モバイル端末が、上記ロック解除メッセージを上記ウェアラブルＢｌｕｅｔｏｏｔｈ（登録商標）デバイスから受信する段階であって、上記モバイル端末に対応する上記処理識別子が上記ロック識別子であり、かつ、上記現在状態が上記ロック状態であり、かつ、ユーザの自発的な状態変更行為が検出されたとき、上記ロック解除メッセージが上記ウェアラブルＢｌｕｅｔｏｏｔｈ（登録商標）デバイスによって送信される、段階と、上記モバイル端末が、上記ロック解除メッセージに基づいて、ロック解除操作を実行する段階とをさらに備える、項目１１に記載の方法。
（項目１７）
上記モバイル端末が、ロックメッセージを上記ウェアラブルＢｌｕｅｔｏｏｔｈ（登録商標）デバイスから受信する段階であって、上記モバイル端末に対応する上記処理識別子が上記ロック解除識別子または上記ロック識別子であり、かつ、上記現在状態が上記ロック解除状態であり、かつ、ユーザの自発的な状態変更行為が検出されたとき、上記ロックメッセージは、上記ウェアラブルＢｌｕｅｔｏｏｔｈ（登録商標）デバイスによって送信される、段階と、上記モバイル端末が、上記ロックメッセージに基づいて、ロック操作を実行する段階とをさらに備える、項目１１に記載の方法。
（項目１８）
モバイル端末との接続が確立された後で、ロック状態またはロック解除状態である、上記モバイル端末に対応する現在状態を判定する判定モジュールと、ユーザの許可行為を検出し、上記ユーザの許可行為を用いて、ロック識別子またはロック解除識別子である、上記モバイル端末に対応する処理識別子を設定する設定モジュールと、上記処理識別子が上記ロック解除識別子であり、かつ、上記現在状態が上記ロック状態である場合、上記モバイル端末にロック解除操作を実行させるべく、ロック解除メッセージを上記モバイル端末へ送信する、送信モジュールとを備える、ウェアラブルＢｌｕｅｔｏｏｔｈ（登録商標）デバイス。
（項目１９）
上記設定モジュールは、上記ウェアラブルＢｌｕｅｔｏｏｔｈ（登録商標）デバイスの加速度センサの計測値がプリセット第１閾値より大きいことが検出されたとき、上記ユーザの許可行為を許可済みロック解除行為として判定し、上記モバイル端末に対応する上記処理識別子を上記ロック解除識別子に設定する、または、上記ウェアラブルＢｌｕｅｔｏｏｔｈ（登録商標）デバイスの角速度センサの計測値がプリセット第２閾値より大きいことが検出されたとき、上記ユーザの許可行為を許可済みロック解除行為として判定し、上記モバイル端末に対応する上記処理識別子を上記ロック解除識別子に設定する、項目１８に記載のウェアラブルＢｌｕｅｔｏｏｔｈ（登録商標）デバイス。
（項目２０）
上記設定モジュールはさらに、上記モバイル端末に対応する上記処理識別子が上記ロック解除識別子に設定された後で、上記モバイル端末についてのエージングタイマを始動し、上記エージングタイマが満了した後で、上記モバイル端末に対応する上記処理識別子を上記ロック識別子に設定する、項目１９に記載のウェアラブルＢｌｕｅｔｏｏｔｈ（登録商標）デバイス。
（項目２１）
上記設定モジュールはさらに、上記加速度センサの上記計測値が上記プリセット第１閾値より大きいことを検出するプロセスにおいて、上記加速度センサの上記計測値を使用することによって、ＡＣＣｘ２、ＡＣＣｙ２、およびＡＣＣｚ２を取得し、ＡＣＣｘ２＋ＡＣＣｙ２＋ＡＣＣｚ２が上記プリセット第１閾値より大きいとき、上記ウェアラブルＢｌｕｅｔｏｏｔｈ（登録商標）デバイスの上記加速度センサの上記計測値が上記プリセット第１閾値より大きいことを検出し、ＡＣＣｘ２は、Ｘ軸方向における、上記加速度センサの加速度の大きさの二乗であり、ＡＣＣｙ２は、Ｙ軸方向における、上記加速度センサの加速度の大きさの二乗であり、ＡＣＣｚ２は、Ｚ軸方向における、上記加速度センサの加速度の大きさの二乗である、項目１９に記載のウェアラブルＢｌｕｅｔｏｏｔｈ（登録商標）デバイス。
（項目２２）
上記判定モジュールは、上記モバイル端末との接続を確立し、上記接続が確立された後で、ロック状態通知メッセージを上記モバイル端末から受信し、上記ロック状態通知メッセージに基づいて、上記モバイル端末に対応する上記現在状態を上記ロック状態として判定し、上記モバイル端末が上記ロック解除操作を実行した後で、ロック解除状態通知メッセージを上記モバイル端末から受信し、上記ロック解除状態通知メッセージに基づいて、上記モバイル端末に対応する上記現在状態を上記ロック解除状態として判定する、項目１８に記載のウェアラブルＢｌｕｅｔｏｏｔｈ（登録商標）デバイス。
（項目２３）
上記送信モジュールは、上記モバイル端末に対応する上記処理識別子が上記ロック解除識別子に設定された後で、上記ウェアラブルＢｌｕｅｔｏｏｔｈ（登録商標）デバイスの上記加速度センサの上記計測値に対応する第１タイミング情報および第１開始タイムスタンプ情報を記録し、上記ロック解除メッセージを上記モバイル端末へ送信し、上記モバイル端末に、上記第１タイミング情報および上記第１開始タイムスタンプ情報に基づいて上記ロック解除操作を実行すべきかどうかを判定させ、上記判定の結果が、実行すべきである場合、上記ロック解除操作を実行させるべく、上記第１タイミング情報および上記第１開始タイムスタンプ情報を含む変更確認要求メッセージを上記モバイル端末へ送信する、項目１８に記載のウェアラブルＢｌｕｅｔｏｏｔｈ（登録商標）デバイス。
（項目２４）
上記送信モジュールはさらに、上記処理識別子が上記ロック識別子であり、かつ、上記現在状態が上記ロック状態である場合、現在状態維持メッセージを上記モバイル端末へ送信し、上記モバイル端末は上記ロック状態を維持する、項目１８に記載のウェアラブルＢｌｕｅｔｏｏｔｈ（登録商標）デバイス。
（項目２５）
上記送信モジュールはさらに、上記処理識別子が上記ロック識別子であり、かつ、上記現在状態が上記ロック状態である状況において、上記送信モジュールがユーザの自発的な状態変更行為を検出した場合、上記モバイル端末に上記ロック解除操作を実行させるべく、ロック解除メッセージを上記モバイル端末へ送信する、項目１８に記載のウェアラブルＢｌｕｅｔｏｏｔｈ（登録商標）デバイス。
（項目２６）
上記送信モジュールはさらに、上記処理識別子が上記ロック解除識別子または上記ロック識別子であり、かつ、上記現在状態が上記ロック解除状態である状況において、上記送信モジュールがユーザの自発的な状態変更行為を検出した場合、上記モバイル端末にロック操作を実行させるべく、ロックメッセージを上記モバイル端末へ送信する、項目１８に記載のウェアラブルＢｌｕｅｔｏｏｔｈ（登録商標）デバイス。
（項目２７）
上記送信モジュールはさらに、ユーザの自発的な状態変更行為が検出されたとき、上記ウェアラブルＢｌｕｅｔｏｏｔｈ（登録商標）デバイスの上記加速度センサの上記計測値がプリセット第３閾値より大きいことが検出されたとき、上記ユーザの自発的な状態変更行為が現在時間に検出されたと判定する、または、上記ウェアラブルＢｌｕｅｔｏｏｔｈ（登録商標）デバイスの上記角速度センサの上記計測値がプリセット第４閾値より大きいことが検出されたとき、ユーザの自発的な状態変更行為が現在時間に検出されたと判定する、項目２５または２６に記載のウェアラブルＢｌｕｅｔｏｏｔｈ（登録商標）デバイス。
（項目２８）
モバイル端末であって、ロック解除メッセージをウェアラブルＢｌｕｅｔｏｏｔｈ（登録商標）デバイスから受信する受信モジュールであって、上記ウェアラブルＢｌｕｅｔｏｏｔｈ（登録商標）デバイスが上記モバイル端末に対応する現在状態をロック状態として判定し、ユーザの許可行為を用いて、上記モバイル端末に対応する処理識別子をロック解除識別子に設定するとき、上記ロック解除メッセージが送信され、上記処理識別子はロック識別子またはロック解除識別子であり、上記現在状態はロック状態またはロック解除状態である、受信モジュールと、上記ロック解除メッセージに基づいてロック解除操作を実行する処理モジュールとを備えるモバイル端末。
（項目２９）
上記ウェアラブルＢｌｕｅｔｏｏｔｈ（登録商標）デバイスとの接続を確立し、上記接続が確立された後で、ロック状態通知メッセージを上記ウェアラブルＢｌｕｅｔｏｏｔｈ（登録商標）デバイスへ送信し、上記ウェアラブルＢｌｕｅｔｏｏｔｈ（登録商標）デバイスは、上記ロック状態通知メッセージに基づいて、上記モバイル端末に対応する上記現在状態を上記ロック状態と判定し、上記処理モジュールが上記ロック解除メッセージに基づいて上記ロック解除操作を実行した後で、ロック解除状態通知メッセージを上記ウェアラブルＢｌｕｅｔｏｏｔｈ（登録商標）デバイスへ送信し、上記ウェアラブルＢｌｕｅｔｏｏｔｈ（登録商標）デバイスは、上記ロック解除状態通知メッセージに基づいて、上記モバイル端末に対応する上記現在状態を上記ロック解除状態として判定する、送信モジュールをさらに備える、項目２８に記載のモバイル端末。
（項目３０）
上記受信モジュールは、上記ロック解除メッセージを上記ウェアラブルＢｌｕｅｔｏｏｔｈ（登録商標）デバイスから受信し、第１タイミング情報および第１開始タイムスタンプ情報を含む変更確認要求メッセージを上記ウェアラブルＢｌｕｅｔｏｏｔｈ（登録商標）デバイスから受信し、上記第１タイミング情報および上記第１開始タイムスタンプ情報は、上記モバイル端末に対応する上記処理識別子が上記ウェアラブルＢｌｕｅｔｏｏｔｈ（登録商標）デバイスによって上記ロック解除識別子に設定された後で、上記ウェアラブルＢｌｕｅｔｏｏｔｈ（登録商標）デバイスによって記録される、上記ウェアラブルＢｌｕｅｔｏｏｔｈ（登録商標）デバイスの加速度センサの計測値に対応する第１タイミング情報および第１開始タイムスタンプ情報であり、上記モバイル端末に対応する上記現在状態が上記ロック状態として判定された後で、上記処理モジュールは、上記モバイル端末の加速度センサの計測値に対応する第２タイミング情報および第２開始タイムスタンプ情報を記録し、上記第１タイミング情報、上記第１開始タイムスタンプ情報、上記第２タイミング情報、および第２開始タイムスタンプ情報に基づいて、上記ロック解除操作を実行すべきかどうかを判定し、上記判定の結果が、実行すべきである場合、上記ロック解除メッセージに基づいて上記ロック解除操作を実行する、項目２８に記載のモバイル端末。
（項目３１）
上記第１タイミング情報は、上記ウェアラブルＢｌｕｅｔｏｏｔｈ（登録商標）デバイスの上記加速度センサの上記計測値の、Ｘ軸方向における加速度の大きさの二乗と、Ｙ軸方向における加速度の大きさの二乗と、Ｚ軸方向における加速度の大きさの二乗との和の第１タイミングシーケンス（ｉｎｔ‐Ｘ１、ｉｎｔ‐Ｘ２、...、ｉｎｔＸｎ）であり、上記第２タイミング情報は、上記モバイル端末の上記加速度センサの上記計測値の、上記Ｘ軸方向における加速度の大きさの二乗と、上記Ｙ軸方向における加速度の大きさの二乗と、上記Ｚ軸方向における加速度の大きさの二乗との和の第２タイミングシーケンス（ｉｎｔ‐Ｙ１、ｉｎｔ‐Ｙ２、...、ｉｎｔＹｍ）であり、上記第１タイミング情報、上記第１開始タイムスタンプ情報、上記第２タイミング情報、および上記第２開始タイムスタンプ情報に基づいて、上記ロック解除操作を実行するかどうかを判定するプロセスにおいて、上記処理モジュールはさらに、上記第１開始タイムスタンプ情報および上記第２開始タイムスタンプ情報を使用することによって、上記第１タイミングシーケンスおよび上記第２タイミングシーケンスを揃え、上記第１タイミングシーケンスと上記第２タイミングシーケンスとの間の相関係数を算出し、上記相関係数がプリセット方針を満たすとき、上記ロック解除操作を実行すると判定し、そうでないとき、上記ロック解除操作を実行しないと判定する、項目３０に記載のモバイル端末。
（項目３２）
上記受信モジュールはさらに、現在状態維持メッセージを上記ウェアラブルＢｌｕｅｔｏｏｔｈ（登録商標）デバイスから受信し、上記現在状態維持メッセージは、上記モバイル端末に対応する上記処理識別子が上記ロック識別子であり、かつ、上記モバイル端末に対応する上記現在状態が上記ロック状態である場合に上記ウェアラブルＢｌｕｅｔｏｏｔｈ（登録商標）デバイスによって送信され、上記処理モジュールはさらに、上記現在状態維持メッセージに基づいて上記ロック状態を維持する、項目２８に記載のモバイル端末。
（項目３３）
上記受信モジュールはさらに、上記ロック解除メッセージを上記ウェアラブルＢｌｕｅｔｏｏｔｈ（登録商標）デバイスから受信し、上記ロック解除メッセージは、上記モバイル端末に対応する上記処理識別子が上記ロック識別子であり、かつ、上記現在状態が上記ロック状態であり、かつ、ユーザの自発的な状態変更行為が検出されたとき、上記ウェアラブルＢｌｕｅｔｏｏｔｈ（登録商標）デバイスによって送信され、上記処理モジュールはさらに、上記ロック解除メッセージに基づいて上記ロック解除操作を実行する、項目２８に記載のモバイル端末。
（項目３４）
上記受信モジュールはさらに、ロックメッセージを上記ウェアラブルＢｌｕｅｔｏｏｔｈ（登録商標）デバイスから受信し、上記ロックメッセージは、上記モバイル端末に対応する上記処理識別子が上記ロック解除識別子または上記ロック識別子であり、かつ、上記現在状態が上記ロック解除状態であり、かつ、ユーザの自発的な状態変更行為が検出されたとき、上記ウェアラブルＢｌｕｅｔｏｏｔｈ（登録商標）デバイスによって送信され、上記処理モジュールはさらに、上記ロックメッセージに基づいて、ロック操作を実行する、項目２８に記載のモバイル端末。
【図１】
0006699912.tif 000003
【図２】
0006699912.tif 000004
【図３】
0006699912.tif 000005
【図４】
0006699912.tif 000006